(57)【要約】      （修正有）【課題】アンライセンスキャリアの状況を考慮したチャネル状態情報（ＣＳＩ）を報告することができる移動局及び方法を提供する。【解決手段】方法は、少なくとも１つのアンライセンスＤＬ  ＣＣ（ダウンリンクコンポーネントキャリア）上のサブフレームｎＲＳに存在する参照信号（ＲＳ）に基づいて、移動局によって非周期的にＣＳＩが報告される。非周期的報告において、ＣＳＩ報告が１つまたは複数のサブフレームに基づいて行われる場合であっても、アンライセンスＤＬ  ＣＣが基地局からのダウンリンク伝送のために所定期間占有される場合には、ＣＳＩ報告のために評価されるサブフレームがサブフレームｎＲＳに制限される。【選択図】図９
2020010364.tif 000002
【特許請求の範囲】
【請求項１】
複数のダウンリンクコンポーネントキャリアの少なくとも１つのアンライセンスダウンリンクコンポーネントキャリアに対するチャネル状態情報（ＣＳＩ）の報告をトリガするトリガメッセージをサブフレームｎＴｒｉｇｇｅｒで基地局から受信する受信部と、
前記ｎＴｒｉｇｇｅｒより後のサブフレームｎＲｅｐｏｒｔで、前記複数のダウンリンクコンポーネントキャリアの前記少なくとも１つのアンライセンスダウンリンクコンポーネントキャリア上に存在する参照信号（ＲＳ）に基づいて前記複数のダウンリンクコンポーネントキャリアの前記少なくとも１つのアンライセンスダウンリンクコンポーネントキャリアに対する前記トリガされたチャネル状態情報（ＣＳＩ）を前記基地局に報告する送信部と、を備え、
前記チャネル状態情報（ＣＳＩ）が報告される際に基づく前記参照信号（ＲＳ）が前記複数のダウンリンクコンポーネントキャリアの前記少なくとも１つのアンライセンスダウンリンクコンポーネントキャリア上のサブフレームｎＲＳに存在し、
前記トリガされたチャネル状態情報（ＣＳＩ）は移動局によって非周期的に報告され、
前記非周期的報告において、前記チャネル状態情報（ＣＳＩ）報告が１つまたは複数のサブフレームに基づいて行われる場合であっても、前記アンライセンスダウンリンクコンポーネントキャリアが前記基地局からのダウンリンク伝送のために所定期間占有される場合には、前記チャネル状態情報（ＣＳＩ）報告のために評価されるサブフレームが前記サブフレームｎＲＳに制限される、
移動局。
【請求項２】
前記トリガされたチャネル状態情報（ＣＳＩ）は、
単一のプリコーディング行列が、サブバンドの集合Ｓでのダウンリンク伝送を前提とするコードブック部分集合から選択され、
すべてのサブバンドに前記単一のプリコーディング行列が使用されること、および、前記参照信号（ＲＳ）が前記サブバンドの集合Ｓにおいて伝送されることを前提として計算されるコードワード当たりの広帯域チャネル品質インジケータ（ＣＱＩ）と、
前記選択される単一のプリコーディング行列のインジケータ（ＰＭＩ）、または前記選択された単一のプリコーディング行列に対応する第１および第２のプリコーディング行列インジケータと、を含み、
前記報告されるプリコーディング行列インジケータ（ＰＭＩ）、および前記報告されるチャネル品質インジケータ（ＣＱＩ）は、報告されたランクインジケータ（ＲＩ）を条件として計算されるか、またはランク＝１を条件として計算される、
請求項１に記載の移動局。
【請求項３】
前記トリガメッセージは、アップリンクリソース割当てを通知するダウンリンク制御情報（ＤＣＩ）フォーマットの形態で受信される、
請求項１または２に記載の移動局。
【請求項４】
前記非周期的チャネル状態情報（ＣＳＩ）報告は、少なくとも１つのアップリンクコンポーネントキャリア上の物理アップリンク共有チャネル（ＰＵＳＣＨ）で報告される、
請求項１〜３に記載の移動局。
【請求項５】
前記トリガメッセージは、前記報告がトリガされた対象となる前記複数のダウンリンクコンポーネントキャリアの前記少なくとも１つのアンライセンスダウンリンクコンポーネントキャリアとは異なる、前記複数のダウンリンクコンポーネントキャリアの別の１つライセンスダウンリンクコンポーネントキャリア上の前記サブフレームｎＴｒｉｇｇｅｒで受信される、
請求項１〜４のいずれか一項に記載の移動局。
【請求項６】
前記トリガメッセージは、前記チャネル状態情報（ＣＳＩ）が報告される際に基づく前記参照信号（ＲＳ）が、前記複数のダウンリンクコンポーネントキャリアの前記少なくとも１つのアンライセンスダウンリンクコンポーネントキャリアのダウンリンクシステム帯域幅に渡るサブバンドの集合Ｓに存在することを示す、
請求項１〜５のいずれか一項に記載の移動局。
【請求項７】
前記送信部は、
前記複数のダウンリンクコンポーネントキャリアの前記少なくとも１つのアンライセンスダウンリンクコンポーネントキャリア上の前記サブバンドの集合Ｓにおける連続又は分散した物理リソースブロックの参照信号（ＲＳ）を評価し、
前記複数のダウンリンクコンポーネントキャリアの前記少なくとも１つのアンライセンスダウンリンクコンポーネントキャリアに対する前記評価された参照信号（ＲＳ）に基づいて、アップリンクコンポーネントキャリアで前記トリガされたチャネル状態情報（ＣＳＩ）を報告する、
請求項６に記載の移動局。
【請求項８】
前記トリガされたチャネル状態情報（ＣＳＩ）は、前記複数のダウンリンクコンポーネントキャリアの前記少なくとも１つのアンライセンスダウンリンクコンポーネントキャリアのダウンリンクシステム帯域幅に渡るサブバンドの集合Ｓに対する１つまたは２つのチャネル品質インジケータ（ＣＱＩ）により報告される、
請求項１〜７のいずれか一項に記載の移動局。
【請求項９】
前記トリガされたチャネル状態情報（ＣＳＩ）は、
前記移動局がランクインジケータ（ＲＩ）フィードバックを報告するように設定されていない場合、または、前記報告されるべきＲＩ＝１の場合、コードワードに対応する単一のチャネル品質インジケータ（ＣＱＩ値）により報告され、
前記報告されるべきＲＩ＞１の場合、異なるコードワードに対応する２つのチャネル品質インジケータにより報告される、
請求項１〜８のいずれか一項に記載の移動局。
【請求項１０】
物理ダウンリンク共有チャネル（ＰＤＳＣＨ）は、前記参照信号（ＲＳ）が存在する同じサブフレームｎＲＳを使用する場合、前記移動局はパンクチャリングされたＰＤＳＣＨ伝送を前提とする、
請求項１〜９のいずれか一項に記載の移動局。
【請求項１１】
前記参照信号（ＲＳ）は、
セル固有参照信号（ＣＲＳ）、および、チャネル状態情報参照信号（ＣＳＩ−ＲＳ）の少なくとも１つである、
請求項１〜１０のいずれか一項に記載の移動局。
【請求項１２】
複数のダウンリンクコンポーネントキャリアの少なくとも１つのアンライセンスダウンリンクコンポーネントキャリアに対するチャネル状態情報（ＣＳＩ）の報告をトリガするトリガメッセージをサブフレームｎＴｒｉｇｇｅｒで基地局から受信するステップと、
前記ｎＴｒｉｇｇｅｒより後のサブフレームｎＲｅｐｏｒｔで、前記複数のダウンリンクコンポーネントキャリアの前記少なくとも１つのアンライセンスダウンリンクコンポーネントキャリア上に存在する参照信号（ＲＳ）に基づいて前記複数のダウンリンクコンポーネントキャリアの前記少なくとも１つのアンライセンスダウンリンクコンポーネントキャリアに対する前記トリガされたチャネル状態情報（ＣＳＩ）を前記基地局に報告するステップと、を含み、
前記チャネル状態情報（ＣＳＩ）が報告される際に基づく前記参照信号（ＲＳ）が前記複数のダウンリンクコンポーネントキャリアの前記少なくとも１つのアンライセンスダウンリンクコンポーネントキャリア上のサブフレームｎＲＳに存在し、
前記トリガされたチャネル状態情報（ＣＳＩ）は移動局によって非周期的に報告され、
前記非周期的報告において、前記チャネル状態情報（ＣＳＩ）報告が１つまたは複数のサブフレームに基づいて行われる場合であっても、前記アンライセンスダウンリンクコンポーネントキャリアが前記基地局からのダウンリンク伝送のために所定期間占有される場合には、前記チャネル状態情報（ＣＳＩ）報告のために評価されるサブフレームが前記サブフレームｎＲＳに制限される、
方法。
【発明の詳細な説明】
【技術分野】
【０００１】
本開示は、特にアンライセンスキャリア上で、移動通信システムにおける移動局から基地局にチャネル状態情報（ＣＳＩ）を報告するための方法に関する。本開示は、本明細書に記載される方法に関与するための移動局も提供している。
【背景技術】
【０００２】
ＬＴＥ（Long Term Evolution）
ＷＣＤＭＡ無線アクセス技術に基づく第３世代移動システム（３Ｇ）が世界中至る所で広範に展開されつつある。この技術を強化または進化させる際の第１段階は、ＨＳＤＰＡ（High Speed Downlink Packet Access）およびＨＳＵＰＡ（High Speed Uplink Packet Access）とも称される拡張アップリンクを導入して、競争力の高い無線アクセス技術をもたらすことを要する。
【０００３】
さらに増加するユーザ需要に備え、かつ新しい無線アクセス技術に対して競争力があるために、３ＧＰＰは、ＬＴＥ（Long Term Evolution）と呼ばれる新しい移動通信システムを導入した。ＬＴＥは、次の１０年間、高速データおよびメディア転送の他に大容量音声サポートのためのキャリアの必要を満たすように設計される。高ビットレートを提供する能力が、ＬＴＥにとっての主要な方策である。
【０００４】
進化型ＵＴＲＡ（UMTS Terrestrial Radio Access）およびＵＴＲＡＮ（UMTS Terrestrial Radio Access Network）と呼ばれるＬＴＥ（Long Term Evolution）に関する作業項目（ＷＩ：Work Item）仕様が、Ｒｅｌｅａｓｅ８（ＬＴＥ  Ｒｅｌ．８）として完成される。ＬＴＥシステムは、低レイテンシおよび低コストで完全にＩＰベースの機能性を提供する効率的なパケットベースの無線アクセスおよび無線アクセスネットワークを表す。ＬＴＥでは、所与のスペクトルを用いて柔軟なシステム展開を達成するために、１．４、３．０、５．０、１０．０、１５．０および２０．０ＭＨｚなどのスケーラブルな複数の伝送帯域幅が指定される。ダウンリンクでは、直交周波数分割多重（ＯＦＤＭ：Orthogonal Frequency Division Multiplexing）ベースの無線アクセスが、低シンボルレートによるマルチパス干渉（ＭＰＩ）に対するその固有の耐性、サイクリックプレフィックス（ＣＰ：Cyclic Prefix）の使用、および異なる伝送帯域幅配置に対するその親和性のために採用された。ユーザ機器（ＵＥ：User Equipment）の制限される送信電力を考慮すると、ピークデータレートの向上よりも広域カバレージを備えることが優先されたので、アップリンクではシングルキャリア周波数分割多元接続（ＳＣ−ＦＤＭＡ：Single−Carrier Frequency Division Multiple Access）ベースの無線アクセスが採用された。ＬＴＥ  Ｒｅｌ．８／９では、多くの主要なパケット無線アクセス技法が、ＭＩＭＯ（Multiple Input Multiple Output）チャネル伝送技法を含めて利用され、高効率の制御シグナリング構造が達成される。
【０００５】
ＬＴＥアーキテクチャ
全体的なアーキテクチャを図１に示し、Ｅ−ＵＴＲＡＮアーキテクチャのより詳細な表現を図２に示す。Ｅ−ＵＴＲＡＮはｅＮｏｄｅＢから成り、ユーザ機器（ＵＥ）に向けたＥ−ＵＴＲＡユーザプレーン（ＰＤＣＰ／ＲＬＣ／ＭＡＣ／ＰＨＹ）プロトコル終端および制御プレーン（ＲＲＣ）プロトコル終端を提供する。ｅＮｏｄｅＢ（ｅＮＢ）は、物理（ＰＨＹ）、メディアアクセス制御（ＭＡＣ）、無線リンク制御（ＲＬＣ）および、ユーザプレーンヘッダ圧縮および暗号化の機能を含むパケットデータ制御プロトコル（ＰＤＣＰ）レイヤをホストする。ｅＮｏｄｅＢは、制御プレーンに対応する無線リソース制御（ＲＲＣ：Radio Resource Control）機能性も提供する。ｅＮｏｄｅＢは、無線リソース管理、アドミッションコントロール、スケジューリング、ネゴシエートされたアップリンクサービス品質（ＱｏＳ：Quality of Service）の実施、セル情報ブロードキャスト、ユーザおよび制御プレーンデータの暗号化／解読、ならびにダウンリンク／アップリンクユーザプレーンパケットヘッダの圧縮／伸長を含む多くの機能を行う。ｅＮｏｄｅＢは、Ｘ２インタフェースを用いて互いと相互接続される。
【０００６】
ｅＮｏｄｅＢはまた、Ｓ１インタフェースを用いてＥＰＣ（Evolved Packet Core）に、より詳細にはＳ１−ＭＭＥを用いてＭＭＥ（Mobility Management Entity）に、およびＳ１−Ｕを用いてサービングゲートウェイ（ＳＧＷ：Serving Gateway）に接続される。Ｓ１インタフェースは、ＭＭＥ／サービングゲートウェイとｅＮｏｄｅＢとの間の多対多関係をサポートする。ＳＧＷはユーザデータパケットをルーティングおよび転送する一方で、ｅＮｏｄｅＢ間ハンドオーバ中にユーザプレーンのためのモビリティアンカとして、および、（Ｓ４インタフェースを終端し、２Ｇ／３ＧシステムとＰＤＮ  ＧＷとの間のトラヒックを中継する）ＬＴＥと他の３ＧＰＰ技術との間の移動のためのアンカとして機能する。アイドル状態のユーザ機器に対しては、ＳＧＷはダウンリンクデータ経路を終端し、ユーザ機器に対してダウンリンクデータが到着するとページングをトリガする。ＳＧＷはユーザ機器コンテキスト、例えばＩＰベアラサービスのパラメータ、ネットワーク内部ルーティング情報を管理および記憶する。ＳＧＷは、合法的傍受の場合にはユーザトラヒックの複製も行う。
【０００７】
ＭＭＥは、ＬＴＥアクセスネットワークにとって主要な制御ノードである。ＭＭＥは、再送を含むアイドルモードのユーザ機器追跡およびページング手順に対する役割を担う。ＭＭＥはベアラアクティブ化／非アクティブ化プロセスに関与し、かつ初期アタッチ時およびコアネットワーク（ＣＮ：Core Network）ノード再配置を伴うＬＴＥ内ハンドオーバ時にユーザ機器に対するＳＧＷを選択する役割も担う。ＭＭＥは、（ＨＳＳと対話することによって）ユーザを認証する役割を担う。非アクセス層（ＮＡＳ：Non-Access Stratum）シグナリングはＭＭＥで終端し、ＭＭＥは仮識別の生成およびユーザ機器への割当ての役割も担う。ＭＭＥは、サービスプロバイダのＰＬＭＮ（Public Land Mobile Network）にキャンプするためにユーザ機器の認証を確認し、ユーザ機器のローミング制限を実施する。ＭＭＥは、ＮＡＳシグナリングに対する暗号化／整合性保護のためのネットワークにおける終端点であり、セキュリティキー管理を扱う。シグナリングの合法的傍受もＭＭＥによってサポートされる。ＭＭＥは、Ｓ３インタフェースがＳＧＳＮからＭＭＥで終端して、ＬＴＥおよび２Ｇ／３Ｇアクセスネットワーク間の移動のための制御プレーン機能も提供する。ＭＭＥは、ローミングユーザ機器に対してホームＨＳＳに向けたＳ６ａインタフェースも終端する。
【０００８】
ＬＴＥにおけるコンポーネントキャリア構造
３ＧＰＰ  ＬＴＥシステムのダウンリンクコンポーネントキャリアは、時間−周波数領域で、いわゆるサブフレームに再分割される。３ＧＰＰ  ＬＴＥでは、各サブフレームは図３に図示するように２つのダウンリンクスロットに分割され、ここでは第１のダウンリンクスロットは第１のＯＦＤＭシンボル内に制御チャネル領域（ＰＤＣＣＨ領域）を備える。各サブフレームは時間領域で所与の数のＯＦＤＭシンボル（３ＧＰＰ  ＬＴＥ（Ｒｅｌｅａｓｅ８）では１２または１４個のＯＦＤＭシンボル）から成り、ここでは各ＯＦＤＭシンボルはコンポーネントキャリアの帯域幅全体に渡る。ＯＦＤＭシンボルはしたがって各々、図４にも図示するように、それぞれのＮＤＬＲＢ＊ＮＲＢｓｃ個のサブキャリアで伝送されるいくつかの変調シンボルから成る。
【０００９】
例えば、３ＧＰＰ  ＬＴＥに使用されるような、ＯＦＤＭを利用するマルチキャリア通信システムを前提とすると、スケジューラによって割り当てられることができるリソースの最小単位は１つの「リソースブロック」である。物理リソースブロック（ＰＲＢ：Physical Resource Block）は、時間領域ではＮＤＬｓｙｍｂ個の連続するＯＦＤＭシンボル（例えば７つのＯＦＤＭシンボル）、及び、周波数領域では図４に例示するようにＮＲＢｓｃ個の連続するサブキャリア（例えばコンポーネントキャリアに対して１２個のサブキャリア）として定義される。３ＧＰＰ  ＬＴＥ（Ｒｅｌｅａｓｅ８）では、物理リソースブロックはＮＤＬｓｙｍｂ＊ＮＲＢｓｃ個のリソースエレメントから成り、時間領域では１つのスロットに、かつ周波数領域では１８０ｋＨｚに対応する（ダウンリンクリソースグリッドに関するさらなる詳細については、例えばｈｔｔｐ：／／ｗｗｗ．３ｇｐｐ．ｏｒｇで入手可能であり、かつ参照により本明細書に援用される非特許文献１の６．２節を参照のこと）。
【００１０】
１つのサブフレームは２つのスロットから成り、その結果、いわゆる「通常（normal）」ＣＰ（サイクリックプレフィックス）が使用されるときにはサブフレームに１４個のＯＦＤＭシンボルがあり、いわゆる「拡張（extended）」ＣＰが使用されるときにはサブフレームに１２個のＯＦＤＭシンボルがある。専門用語のために、以下では、サブフレーム全体に渡る同じＮＲＢｓｃ個の連続するサブキャリアに相当する時間−周波数リソースを、「リソースブロックペア」または同意義の「ＲＢペア」もしくは「ＰＲＢペア」と呼ぶ。
【００１１】
用語「コンポーネントキャリア」は、周波数領域でのいくつかのリソースブロックの組合せを指す。ＬＴＥの将来のリリースでは、用語「コンポーネントキャリア」はもはや使用されず、代わりに専門用語は、ダウンリンクおよび任意選択でアップリンクリソースの組合せを指す「セル」に変更される。ダウンリンクリソースのキャリア周波数とアップリンクリソースのキャリア周波数との間の関連付け（リンキング）は、ダウンリンクリソースで伝送されるシステム情報に示される。コンポーネントキャリア構造に対する同様の前提が、後のリリースにも当てはまる。
【００１２】
より広帯域幅のサポートのためのＬＴＥ−Ａでのキャリアアグリゲーション
世界無線通信会議２００７（ＷＲＣ−０７）で、ＩＭＴ−Ａｄｖａｎｃｅｄのための周波数スペクトルが決定された。ＩＭＴ−Ａｄｖａｎｃｅｄのための全周波数スペクトルが決定されたとはいえ、実際に利用可能な周波数帯域幅は各地域または国によって異なる。しかしながら、利用可能な周波数スペクトル概要に関する決定に続いて、第３世代パートナーシッププロジェクト（３ＧＰＰ）において無線インタフェースの標準化が始まった。３ＧＰＰ  ＴＳＧ  ＲＡＮ＃３９会合で、「Ｅ−ＵＴＲＡのためのさらなる向上（ＬＴＥ−Ａｄｖａｎｃｅｄ）」に関する検討項目（Study Item）の記載が承認された。その検討項目は、例えばＩＭＴ−Ａｄｖａｎｃｅｄに関する要件を満たすよう、Ｅ−ＵＴＲＡの進化のために考慮すべき技術要素を包含する。
【００１３】
ＬＴＥシステムが２０ＭＨｚのみをサポートすることができるのに対して、ＬＴＥ−Ａｄｖａｎｃｅｄシステムがサポートすることができる帯域幅は１００ＭＨｚである。最近では、無線スペクトルの不足がワイヤレスネットワークの発展のボトルネックになっており、その結果ＬＴＥ−Ａｄｖａｎｃｅｄシステムのために十分に広いスペクトル帯を見つけることは困難である。結果的に、より広い無線スペクトル帯を得る方途を見つけることが急を要し、ここで１つの可能な解答がキャリアアグリゲーション機能である。キャリアアグリゲーションでは、１００ＭＨｚまでのより広い伝送帯域幅をサポートするために、２つ以上のコンポーネントキャリアがアグリゲートされる。ＬＴＥシステムでのいくつかのセルがアグリゲートされて、たとえＬＴＥでのこれらのセルが異なる周波数帯にあるとしても、１００ＭＨｚに対して十分に広いＬＴＥ−Ａｄｖａｎｃｅｄシステムでの１つのより広いチャネルになる。
【００１４】
すべてのコンポーネントキャリアは、少なくともコンポーネントキャリアの帯域幅がＬＴＥ  Ｒｅｌ．８／９セルのサポートされる帯域幅を超えない場合、ＬＴＥ  Ｒｅｌ．８／９互換性があるように設定されることができる。ユーザ機器によってアグリゲートされるすべてのコンポーネントキャリアが必ずしもＲｅｌ．８／９互換性があるわけではなくてもよい。現存のメカニズム（例えば禁止（ｂａｒｒｉｎｇ）を使用して、Ｒｅｌ−８／９ユーザ機器がコンポーネントキャリアにキャンプすることを回避してもよい。
【００１５】
ユーザ機器は、その能力に応じて１つまたは複数のコンポーネントキャリア（複数のサービングセルに対応する）を同時に受信または送信してもよい。キャリアアグリゲーションのための受信および／または送信能力をもつＬＴＥ−Ａ  Ｒｅｌ．１０ユーザ機器は複数のサービングセルで同時に受信および／または送信することができる一方で、ＬＴＥ  Ｒｅｌ．８／９ユーザ機器は、コンポーネントキャリアの構造がＲｅｌ．８／９仕様に従うとの条件で、単一のサービングセルのみで受信および送信することができる。
【００１６】
キャリアアグリゲーションは連続および非連続コンポーネントキャリア両方に対してサポートされるが、各コンポーネントキャリアは３ＧＰＰ  ＬＴＥ（Ｒｅｌｅａｓｅ８／９）のnumerologyを用いて周波数領域で最大で１１０個のリソースブロックに制限される。
【００１７】
３ＧＰＰ  ＬＴＥ−Ａ（Ｒｅｌｅａｓｅ１０）互換のユーザ機器を、同じｅＮｏｄｅＢ（基地局）から発信し、かつ場合によりアップリンクおよびダウンリンクで異なる帯域幅の異なる数のコンポーネントキャリアをアグリゲートするように設定することが可能である。設定することができるダウンリンクコンポーネントキャリアの数はＵＥのダウンリンクアグリゲーション能力に依存する。反対に、設定することができるアップリンクコンポーネントキャリアの数はＵＥのアップリンクアグリゲーション能力に依存する。移動端末をダウンリンクコンポーネントキャリアよりアップリンクコンポーネントキャリアが多くなるように設定することは現在は可能でなくてもよい。
【００１８】
典型的なＴＤＤ展開では、アップリンクおよびダウンリンクでのコンポーネントキャリアの数および各コンポーネントキャリアの帯域幅は同じである。同じｅＮｏｄｅＢから発信するコンポーネントキャリアが同じカバレージを提供する必要はない。
【００１９】
連続してアグリゲートされるコンポーネントキャリアの中心周波数間の間隔は３００ｋＨｚの倍数であるものとする。これは、３ＧＰＰ  ＬＴＥ（Ｒｅｌｅａｓｅ８／９）の１００ｋＨｚ周波数ラスタ（raster）と互換性があり、かつ同時に１５ｋＨｚ間隔をもつサブキャリアの直交性を保持するためである。アグリゲーションシナリオに応じて、ｎ＊３００ｋＨｚ間隔は、連続したコンポーネントキャリア間への少数の未使用サブキャリアの挿入によって容易にされることができる。
【００２０】
複数のキャリアのアグリゲーションの性質は、ＭＡＣレイヤまでしか明らかにされていない。アップリンクおよびダウンリンク両方に関して、各アグリゲートされるコンポーネントキャリアごとにＭＡＣで１つのＨＡＲＱエンティティが必要とされる。（アップリンクに対するＳＵ−ＭＩＭＯの不在下では）コンポーネントキャリア当たり多くとも１つのトランスポートブロックがある。トランスポートブロックおよびその潜在的なＨＡＲＱ再送信は同じコンポーネントキャリアにマッピングされる必要がある。
【００２１】
キャリアアグリゲーションがアクティブ化されているレイヤ２構造を、それぞれダウンリンクおよびアップリンクについて図５および図６に図示する。
【００２２】
キャリアアグリゲーションが設定されるとき、移動端末はネットワークとの１つのＲＲＣ接続を有するのみである。ＲＲＣ接続確立／再確立時に、１つのセルが、ＬＴＥ  Ｒｅｌ．８／９でと同様に、セキュリティ入力（１つのＥＣＧＩ、１つのＰＣＩおよび１つのＡＲＦＣＮ）および非アクセス層移動情報（例えばＴＡＩ）を提供する。ＲＲＣ接続確立／再確立後に、そのセルに対応するコンポーネントキャリアはダウンリンクプライマリセル（ＰＣｅｌｌ）と称される。接続状態のユーザ機器当たり常に１つだけのダウンリンクＰＣｅｌｌ（ＤＬ  ＰＣｅｌｌ）および１つのアップリンクＰＣｅｌｌ（ＵＬ  ＰＣｅｌｌ）が設定される。設定されたコンポーネントキャリアの集合内で、他のセルはセカンダリセル（ＳＣｅｌｌ）と称され、ＳＣｅｌｌのキャリアがダウンリンクセカンダリコンポーネントキャリア（ＤＬ  ＳＣＣ）およびアップリンクセカンダリコンポーネントキャリア（ＵＬ  ＳＣＣ）である。
【００２３】
コンポーネントキャリアの設定および再設定の他に、追加および削除はＲＲＣによって行われることができる。アクティブ化および非アクティブ化はＭＡＣ制御エレメントを介して行われる。ＬＴＥ内ハンドオーバ時に、ＲＲＣは、ターゲットセルでの使用のためにＳＣｅｌｌを追加、削除または再設定することもできる。新しいＳＣｅｌｌを追加するとき、個別（dedicated）ＲＲＣシグナリングを使用してＳＣｅｌｌのシステム情報を送り、情報は送受信のために（Ｒｅｌ−８／９でハンドオーバのためにと同様に）必要である。
【００２４】
ユーザ機器がキャリアアグリゲーションを設定されると、少なくとも一対のアップリンクおよびダウンリンクコンポーネントキャリアが常にアクティブである。その対のダウンリンクコンポーネントキャリアは「ＤＬアンカキャリア」とも称されることもある。同じことがアップリンクに対しても当てはまる。
【００２５】
キャリアアグリゲーションが設定されると、ユーザ機器は複数のコンポーネントキャリアに同時にスケジュールされてもよいが、しかし多くとも１つのランダムアクセス手順がいかなる時にも進行中であるものとする。クロスキャリアスケジューリングは、コンポーネントキャリアのＰＤＣＣＨが別のコンポーネントキャリア上のリソースをスケジュールするようにする。この目的で、コンポーネントキャリア識別フィールドがそれぞれのＤＣＩフォーマットに導入され、ＣＩＦと呼ばれている。
【００２６】
アップリンクおよびダウンリンクコンポーネントキャリア間の、ＲＲＣシグナリングによって確立される関連付けは、クロスキャリアスケジューリングがないときに、グラントが適用されるアップリンクコンポーネントキャリアを特定することを許容する。アップリンクコンポーネントキャリアへのダウンリンクコンポーネントキャリアの関連付けは、必ずしも１対１である必要はない。言い換えると、２つ以上のダウンリンクコンポーネントキャリアが、同じアップリンクコンポーネントキャリアにリンクすることができる。同時に、ダウンリンクコンポーネントキャリアは、１つのアップリンクコンポーネントキャリアにのみリンクすることができる。
【００２７】
チャネル状態情報フィードバックエレメント
通常、移動通信システムは、チャネル品質フィードバックを伝達するために使用する特別な制御シグナリングを定義する。３ＧＰＰ  ＬＴＥでは、チャネル品質のためのフィードバックとして与えられても、または与えられなくてもよい３つの基本エレメントが存在する。これらのチャネル品質エレメントは以下の通りである。
−  ＭＣＳＩ（Modulation and Coding Scheme Indicator）：変調および符号化方式インジケータ、時にはＬＴＥ仕様ではチャネル品質インジケータ（ＣＱＩ）と称される。
−  ＰＭ(Precoding Matrix Indicator)：プリコーディング行列インジケータ
−  ＲＩ(Rank Indicator)：ランクインジケータ
【００２８】
ＭＣＳＩは伝送のために使用すべきである変調および符号化方式を提案する一方で、ＰＭＩは、ＲＩによって与えられる伝送行列ランクを用いて空間多重化およびマルチアンテナ伝送（ＭＩＭＯ）のために利用すべきであるプリコーディング行列／ベクトルを示す。関連する報告および伝送メカニズムについての詳細は、さらなる記事を求めて参照される以下の仕様書に与えられる（すべての文書はｈｔｔｐ：／／ｗｗｗ．３ｇｐｐ．ｏｒｇで入手可能であり、かつ参照により本明細書に援用される）。
−  非特許文献１のバージョン１０．０．０の特に６．３．３、６．３．４節
−  非特許文献２のバージョン１０．０．０の特に５．２．２、５．２．４、５．３．３節
−  非特許文献３のバージョン１０．０．１の特に７．１．７および７．２節
【００２９】
３ＧＰＰ  ＬＴＥでは、上記特定した３つのチャネル品質エレメントのすべてが必ずしも同時に報告されるわけではない。実際に報告されているエレメントは主に、設定される報告モードに依存する。３ＧＰＰ  ＬＴＥは２つのコードワードの伝送もサポートし（すなわち、ユーザデータ（トランスポートブロック）の２つのコードワードが単一のサブフレームに多重化され、そのサブフレームで伝送されてもよく）、その結果フィードバックは１つまたは２つのコードワードいずれかに対して与えられればよいことに留意するべきである。２０ＭＨｚシステム帯域幅を使用する例示的なシナリオに関して、以降の節におよび以下の表１にいくらかの詳細が提供される。この情報は上述した非特許文献３の７．２．１節に基づくことに留意するべきである。
【００３０】
非周期的チャネル品質フィードバックのための個々の報告モードが以下の通り３ＧＰＰ  ＬＴＥに定義される。
報告モード１−２
この報告の内容：
−  コードワード当たり１つの集合Ｓ（すなわち広帯域）のＭＣＳＩ値
−  各サブバンドに対する、ＰＭＩによって表される１つのプリコーディング行列
−−  場合により（非特許文献３の７．２．１項を参照のこと）、付加的に１つの集合Ｓ（すなわち広帯域）のＰＭＩ値
−  伝送モード４、８、９および１０の場合：１つのＲＩ値
報告モード２−０
この報告の内容：
−  １つの集合Ｓ（すなわち広帯域）のＭＣＳＩ値
−  Ｍ個の選択したサブバンドの位置
−  Ｍ個の選択したサブバンドに対する１つのＭＣＳＩ値（集合ＳのＭＣＳＩ値に対して２ビット差、非負）
−  伝送モード３の場合：１つのＲＩ値
報告モード２−２
この報告の内容：
−  コードワード当たり１つの集合Ｓ（すなわち広帯域）のＭＣＳＩ値
−  集合Ｓ（すなわち広帯域）に対する１つの好適なＰＭＩ
−  Ｍ個の選択したサブバンドの位置
−  コードワード当たりＭ個の選択したサブバンドに対する１つのＭＣＳＩ値（対応する集合ＳのＭＣＳＩ値に対して２ビット差、非負）
−  Ｍ個の選択したサブバンドに対する１つの好適なＰＭＩ
−−  場合により（非特許文献３の７．２．１項を参照のこと）、付加的に１つの集合Ｓ（すなわち広帯域）のＰＭＩ値
−  伝送モード４、８、９および１０の場合：１つのＲＩ値
報告モード３−０
この報告の内容：
−  １つの集合Ｓ（すなわち広帯域）のＭＣＳＩ値
−  サブバンド当たり１つのＭＣＳＩ値（集合ＳのＭＣＳＩ値に対して２ビット差）
−  伝送モード３の場合：１つのＲＩ値
報告モード３−１
この報告の内容：
−  コードワード当たり１つの集合Ｓ（すなわち広帯域）のＭＣＳＩ値
−  集合Ｓ（すなわち広帯域）に対する１つの好適なＰＭＩ
−−  場合により（非特許文献３の７．２．１項を参照のこと）、付加的に１つの集合Ｓ（すなわち広帯域）のＰＭＩ値
−  サブバンド当たりコードワード当たり１つのＭＣＳＩ値（対応する集合ＳのＭＣＳＩ値に対して２ビット差）
−  伝送モード４、８、９および１０の場合：１つのＲＩ値
報告モード３−２
この報告の内容：
−  コードワード当たり１つの集合Ｓ（すなわち広帯域）のＭＣＳＩ値
−  各サブバンドに対する、ＰＭＩによって表される１つのプリコーディング行列
−−  場合により（非特許文献３の７．２．１項を参照のこと）、付加的に１つの集合Ｓ（すなわち広帯域）のＰＭＩ値
−  サブバンド当たりコードワード当たり１つのＭＣＳＩ値（対応する集合ＳのＭＣＳＩ値に対して２ビット差）
−  伝送モード４、８、９および１０の場合：１つのＲＩ値
【００３１】
用語サブバンドはここで、前に概説したようないくつかのリソースブロックを表すように使用される一方で、用語集合Ｓは一般にシステム帯域幅でのリソースブロックの全体集合の部分集合を表すことに留意するべきである。３ＧＰＰ  ＬＴＥおよびＬＴＥ−Ａのコンテキストでは、集合Ｓはここまでセル全体、すなわちコンポーネントキャリア帯域幅、２０ＭＨｚまでの周波数範囲を常に表すように定義され、かつ単純化のため以後「広帯域」と称する。
【００３２】
非周期的および周期的ＣＱＩ報告
ＵＥによってＣＳＩを報告するために使用されるべき周期性および周波数分解能は両方とも、ｅＮｏｄｅＢによって制御される。物理アップリンク制御チャネル（ＰＵＣＣＨ：Physical Uplink Control Channel）は周期的ＣＳＩ報告のみのために使用され、ＰＵＳＣＨがＣＳＩの非周期的報告のために使用され、それによってｅＮｏｄｅＢは詳細には、アップリンクデータ伝送にスケジュールされるリソースに埋め込まれた個々のＣＳＩ報告を送るようにＵＥに命令する。ＣＳＩ情報を迅速に取得するために、ｅＮｏｄｅＢは、物理ダウンリンク制御チャネルで送られるアップリンクリソースグラントにＣＳＩ要求ビットを設定することによって、非周期的ＣＳＩをスケジュールすることができる。
【００３３】
３ＧＰＰ  ＬＴＥでは、ユーザ機器からのいわゆる非周期的チャネル品質フィードバックをトリガする簡単なメカニズムが予見される。無線アクセスネットワークにおけるｅＮｏｄｅＢがユーザ機器にＬ１／Ｌ２制御信号を送って、いわゆる非周期的ＣＳＩ報告の伝送を要求する（詳細については非特許文献２の５．３．３．１．１節および非特許文献３の７．２．１節を参照のこと）。ユーザ機器による非周期的チャネル品質フィードバックの提供をトリガする別の可能性は、ランダムアクセス手順に関連する（非特許文献３の６．２節を参照のこと）。
【００３４】
チャネル品質フィードバックを提供することのためのトリガがユーザ機器によって受信されるたびに、ユーザ機器はその後チャネル品質フィードバックをｅＮｏｄｅＢに送信する。通常、チャネル品質フィードバック（すなわちＣＳＩ報告）は、チャネル品質フィードバックをトリガしたＬ１／Ｌ２信号（ＰＤＣＣＨなど）によってユーザ機器に割り当てられている物理アップリンク共有チャネル（ＰＵＳＣＨ：Physical Uplink Shared Channel）リソースでアップリンク（ユーザ）データと多重化される。
【００３５】
ダウンリンク参照信号
ＬＴＥダウンリンクでは、５つの異なる種類のＲＳが提供される。
−  セル固有ＲＳ（それらがセルにおけるすべてのＵＥに利用可能であり、かつそれらにＵＥ固有処理が適用されないので、しばしば「共通（common）」ＲＳと称される）。
−  ＵＥ固有ＲＳ（Ｒｅｌｅａｓｅ８で導入され、Ｒｅｌｅａｓｅ９および１０で拡張された）：特定のＵＥに対するデータに埋め込まれてもよい（復調用参照信号（DeModulation Reference Signal）−ＤＭ−ＲＳとしても知られる）。
−  ＭＢＳＦＮ固有ＲＳ：ＭＢＳＦＮ（Multimedia Broadcast Single Frequency Network）動作のためにのみ使用される。
−  測位（positioning）ＲＳ：Ｒｅｌｅａｓｅ９以降ＵＥ位置測定の目的で一定の「測位サブフレーム」に埋め込まれてもよい。
−  チャネル状態情報（ＣＳＩ  ＲＳ）：詳細にはデータ復調のためでなく、ダウンリンクチャネル状態を推定する目的でＲｅｌｅａｓｅ１０で導入される。
【００３６】
各ＲＳパターンはｅＮｏｄｅＢでアンテナポートから送信される。アンテナポートは実際には、単一の物理送信アンテナとしてか、または複数の物理アンテナ素子の組合せとしてかいずれかで実装されてもよい。いずれの場合でも、各アンテナポートから送信される信号は、ＵＥ受信器によってさらに分解されるようには設計されていない。
【００３７】
所与のアンテナポートに対応する送信されたＲＳは、ＵＥの観点からアンテナポートを定義し、かつ−そのＲＳが１つの物理アンテナからの単一の無線チャネルを表すか、または共にアンテナポートを構成する複数の物理アンテナ素子からの合成チャネルを表すかにかかわらず−ＵＥがアンテナポートで送信されるすべてのデータに対するチャネル推定値を導出することを可能にする。
【００３８】
セル固有参照信号
セル固有ＲＳは、ＵＥが物理ダウンリンク共有チャネル（ＰＤＳＣＨ：Physical Downlink Shared Channel）のほとんどの伝送モードでダウンリンク制御チャネルおよびダウンリンクデータを復調するための位相基準を決定することを可能にする。ＵＥ固有プリコーディングが伝送前のＰＤＳＣＨデータシンボルに適用されれば、ダウンリンク制御シグナリングが提供されて、セル固有参照信号によって提供される位相基準に対して適用すべきである対応する位相調節をＵＥに通知する。
【００３９】
ＯＦＤＭベースのシステムでは、格子構造での参照シンボルの等距離配置は、チャネルの最小平均二乗誤差（ＭＭＳＥ）推定値を達成する。その上、一様な参照シンボルグリッドの場合、時間−周波数プレーンでの「ダイヤモンド形状」が最適であることが示されることができる。
【００４０】
ＬＴＥでは、セル固有ＲＳが送信されるＲＥの配置はこれらの原理に従う。図７は、セル固有参照信号がＰで、すなわち｛Ｐ０、Ｐ１、Ｐ２、Ｐ３｝として示されるＲＳ配置を例示する。
【００４１】
０−３番の４つまでのセル固有アンテナポートがＬＴＥ  ｅＮｏｄｅＢで使用されてもよく、したがってＵＥに４つまでの別々のチャネル推定値を導出することを要求する。アンテナポートごとに、異なるＲＳパターンが設計されており、複数の送信アンテナポート間のセル内干渉の最小化に特別な配慮が払われている。
【００４２】
図７では、Ｐｘは、ＲＥがアンテナポートＸでのＲＳの送信のために使用されることを示す。次いでＲＥを使用してＲＳを１つのアンテナポートで送信し、その他のアンテナポートで対応するＲＥをゼロに設定して干渉を制限する。
【００４３】
チャネル状態情報（ＣＳＩ−ＲＳ）の推定のためのダウンリンク参照信号
ＣＳＩ−ＲＳの主な目的は、８つまでの送信アンテナポートに対するチャネル状態フィードバックを得て、ｅＮｏｄｅＢをそのプリコーディング動作で支援することである。ＬＴＥ  Ｒｅｌｅａｓｅ１０は、１つ、２つ、４つおよび８つの送信アンテナポートに対してＣＳＩ−ＲＳの送信をサポートする。ＣＳＩ−ＲＳはまた、将来のマルチセル協調伝送方式をサポートするために、ＵＥが１つのサービングセルだけよりもむしろ複数のセルに対してＣＳＩを推定することを可能にする。
【００４４】
以下の一般的な設計原理がＣＳＩ−ＲＳに対して確認されることができる。
−  周波数領域では、ＣＳＩ−ＲＳ位置の一様な間隔が非常に望ましい。
−  時間領域では、ＣＳＩ−ＲＳを含むサブフレームの数を最小化することが望ましく、その結果ＵＥが不連続受付（ＤＲＸ）モードであるときに、ＵＥは最小ウェイクアップデューティサイクルで異なるアンテナポートおよび異なるセルに対してさえＣＳＩを推定し、バッテリ寿命を保持することができる。
−  全ＣＳＩ−ＲＳオーバーヘッドは、効率的な動作のための正確なＣＳＩ推定と、ＣＳＩ−ＲＳの存在に気づかず、かつデータがＣＳＩ−ＲＳ伝送によって中断されるレガシーのＲｅｌｅａｓｅ１０以前のＵＥへの影響を最小化することとの間のトレードオフを伴う。
−  セル内の、およびできる限り異なるセルからの異なるアンテナポートのＣＳＩ−ＲＳが、正確なＣＳＩ推定を可能にするために、直交して多重化されるべきである。
【００４５】
これらの事項を考慮して、Ｒｅｌｅａｓｅ１０のために選択されるＣＳＩ−ＲＳパターンを図７に示す。長さ２のＣＤＭコードが使用され、そのため２つのアンテナポート上のＣＳＩ−ＲＳが所与のサブキャリアで２つのＲＥを共有する。
【００４６】
図７に示すパターンは、フレーム構造１（周波数分割複信ＦＤＤ）およびフレーム構造２（時分割複信ＴＤＤ）両方で使用することができる。ＣＳＩ−ＲＳのために使用されるＲＥはＲＳとラベル付けされ、ＣＳＩ−ＲＳをＣＳＩ参照信号設定にグループ分けする以下の表と共に使用される。
【００４７】
加えて以下の表は、各ＣＳＩ参照信号設定ごとに、｛Ａ、Ｂ、Ｃ、Ｄ、Ｅ、Ｆ、Ｇ、Ｈ、Ｉ、Ｊ、Ｋ、Ｌ、Ｖ、Ｎ、Ｏ、Ｐ、Ｑ、Ｒ、Ｓ、Ｔ｝の集合またはその部分集合の１つとしてのセルインデックス、およびアンテナポートの識別を含み、かつ最大８つのアンテナポートがＣＤＭグループ｛ｘ、ｚ、ｙ、ｕ｝にグループ化されている。
【００４８】
【表１】
2020010364.tif 000003
【００４９】
表は、非特許文献１のバージョン１２．３．０の６．１０．５．２節下に含まれ、ＣＳＩ参照信号設定から通常のサイクリックプレフィックスに対する（ｋ’，ｌ’）へのマッピングを例示し、付加的に、セルインデックス、ＣＤＭグループの識別を含む、表６．１０．５．２−１に対応する。
【００５０】
加えて、括弧内のセルインデックスおよびＣＤＭグループ項目は、どのインデックス／グループ組合せがリソースブロックの時間／周波数グリッド内のどのＲＥ位置（ｋ’、ｌ’）に対応するかを示すためのものであるが、しかし対応するＣＳＩ参照信号設定インデックスがサポートされることを示すものとは意図されず、むしろ非特許文献１のバージョン１２．３．０の他の部分から暗黙に依存関係が続く。結果的に、括弧内のそれらの項目は図解目的のためだけに理解されるべきである。
【００５１】
レイヤ１／レイヤ２（Ｌ１／Ｌ２）制御シグナリング
スケジュールされたユーザに彼らの割当て状況、トランスポートフォーマットおよび他の伝送関連情報（例えばＨＡＲＱ情報、送信電力制御（ＴＰＣ：Transmission Power Control）コマンド）について通知するために、Ｌ１／Ｌ２制御シグナリングがデータと共にダウンリンクで送信される。Ｌ１／Ｌ２制御シグナリングはサブフレームでダウンリンクデータと多重化され、ユーザ割当てがサブフレームごとに変化することができることを前提とする。
【００５２】
ユーザ割当てがまた、ＴＴＩ（Transmission Time Interval）（伝送時間間隔）ベースで行われることがあり、ここでＴＴＩ長がサブフレームの倍数であることができることに留意するべきである。ＴＴＩ長は、すべてのユーザに対してサービスエリアで固定されてもよいし、異なるユーザに対して異なってもよいし、または各ユーザに対して動的であってさえよい。一般に、Ｌ１／２制御シグナリングはＴＴＩ当たり一度送信しさえすればよい。一般性を失うことなく、以下はＴＴＩが１つのサブフレームに相当することを前提とする。
【００５３】
Ｌ１／Ｌ２制御シグナリングは物理ダウンリンク制御チャネル（ＰＤＣＣＨ：Physical Downlink Control Channel）で送信される。ＰＤＣＣＨはダウンリンク制御情報（ＤＣＩ：Downlink Control Information）としてメッセージを通知し、そのメッセージはほとんどの場合、移動端末またはＵＥのグループに対するリソース割当ておよび他の制御情報を含む。一般に、いくつかのＰＤＣＣＨを１つのサブフレームで送信することができる。
【００５４】
３ＧＰＰ  ＬＴＥでは、アップリンクスケジューリンググラントまたはアップリンクリソース割当てとも称される、アップリンクデータ伝送のための割当てもＰＤＣＣＨで送信されることに留意するべきである。さらには、Ｒｅｌｅａｓｅ１１は、たとえ詳細な伝送方法がＰＤＣＣＨと異なるとしても、ＰＤＣＣＨと基本的に同じ機能を満たす、すなわちＬ１／Ｌ２制御シグナリングを伝達するＥＰＤＣＣＨを導入した。
【００５５】
さらなる詳細は特に非特許文献１および非特許文献３の現行バージョンに見いだすことができ、参照により本明細書に組み込まれる。結果的に、背景および実施形態に概説するほとんどの項目は、ＰＤＣＣＨの他にＥＰＤＣＣＨ、または特記しない限り、Ｌ１／Ｌ２制御信号を伝達する他の手段に当てはまる。
【００５６】
一般に、アップリンクまたはダウンリンク無線リソース（特にＬＴＥ（−Ａ）Ｒｅｌｅａｓｅ１０）を割り当てるためのＬ１／Ｌ２制御シグナリングで送られる情報は、以下の項目に分類することができる。
−  ユーザ識別：割り当てられるユーザを示す。これは典型的に、ユーザ識別でＣＲＣをマスキングすることによって、チェックサムに含まれる。
−  リソース割当て情報：ユーザに割り当てられるリソース（リソースブロック（ＲＢ））を示す。代替的にこの情報はリソースブロック割当て（ＲＢＡ：Resource Block Assignment）と名付けられる。ユーザに割り当てられるＲＢの数が動的であり得ることに留意されたい。
−  キャリアインジケータ：第１のキャリアで送信される制御チャネルが第２のキャリアに関係するリソース、すなわち第２のキャリア上のリソースまたは第２のキャリアに関連するリソースを割り当てる場合に使用される（クロスキャリアスケジューリング）
−  利用する変調方式および符号化レートを決定する変調および符号化方式。
−  ＨＡＲＱ情報：データパケットまたはその部分の再送信に特に有用である新しいデータインジケータ（ＮＤＩ：New Data Indicator）および／またはリダンダンシーバージョン（ＲＶ：Redundancy Version）など。
【００５７】
−  割り当てられるアップリンクデータまたは制御情報送信の送信電力を調節する電力制御コマンド。
−  適用される巡回シフトおよび／または直交カバーコードインデックスなどの参照信号情報：割当てに関連する参照信号の送信または受信のために利用されることになる。
−  割当ての順序を特定するために使用されるアップリンクまたはダウンリンク割当てインデックス：ＴＤＤシステムで特に有用である。
−  ホッピング情報：例えば周波数ダイバーシチを増強するためにリソースホッピングを適用するかどうか、およびその仕方の指標。
−ＣＳＩ要求：割り当てられたリソースでのチャネル状態情報の送信をトリガするために使用される。
−  マルチクラスタ情報：送信が単一のクラスタ（ＲＢの連続した集合）に、または複数のクラスタ（連続したＲＢの少なくとも２つの不連続集合）に発生するかどうかを示し、かつ制御するために使用されるフラグ。マルチクラスタ割当ては３ＧＰＰ  ＬＴＥ−（Ａ）Ｒｅｌｅａｓｅ１０によって導入された。
【００５８】
上記リストは非網羅的であり、使用するＤＣＩフォーマットに応じて、すべての言及した情報項目が各ＰＤＣＣＨ送信に存在する必要があるわけではないことに留意するべきである。
【００５９】
ダウンリンク制御情報は、全体サイズが、またそれらのフィールドに含まれる情報が異なるいくつかのフォーマットで出現する。ＬＴＥのために現在定義される異なるＤＣＩフォーマットは以下の通りであり、かつ非特許文献２の５．３．３．１節に詳細に記載される（現行バージョンｖ１２．２．０がｈｔｔｐ：／／ｗｗｗ．３ｇｐｐ．ｏｒｇで入手可能であり、かつ参照により本明細書に援用される）。加えて、ＤＣＩフォーマットに関するさらなる情報およびＤＣＩで送信される特定の情報については、前述の技術標準を、または参照により本明細書に援用される非特許文献４の９．３章を参照されたい。
フォーマット０：ＤＣＩフォーマット０は、アップリンク伝送モード１または２で単一アンテナポート送信を使用する、ＰＵＳＣＨのためのリソースグラントの送信のために使用される。
フォーマット１：ＤＣＩフォーマット１は、単一コードワードＰＤＳＣＨ送信（ダウンリンク伝送モード１、２および７）のためのリソース割当ての送信のために使用される。
フォーマット１Ａ：ＤＣＩフォーマット１Ａは、単一コードワードＰＤＳＣＨ送信のためのリソース割当てのコンパクトなシグナリングのために、および専用のプリアンブルシグネチャを無競合ランダムアクセス（すべての伝送モードでの）のための移動端末に割り当てるために使用される。
フォーマット１Ｂ：ＤＣＩフォーマット１Ｂは、ランク１送信（ダウンリンク伝送モード６）で閉ループプリコーディングを使用するＰＤＳＣＨ送信のためのリソース割当てのコンパクトなシグナリングのために使用される。送信される情報は、ＰＤＳＣＨ送信のために適用されるプリコーディングベクトルのインジケータの追加以外は、フォーマット１Ａでと同じである。
フォーマット１Ｃ：ＤＣＩフォーマット１Ｃは、ＰＤＳＣＨ割当ての極めてコンパクトな送信のために使用される。フォーマット１Ｃが使用されるとき、ＰＤＳＣＨ送信はＱＰＳＫ変調を使用することに制約される。これは、例えば、ページングメッセージおよびブロードキャストシステム情報メッセージをシグナリングするために使用される。
【００６０】
フォーマット１Ｄ：ＤＣＩフォーマット１Ｄは、マルチユーザＭＩＭＯを使用するＰＤＳＣＨ送信のためのリソース割当てのコンパクトなシグナリングのために使用される。送信される情報はフォーマット１Ｂでと同じであるが、しかしプリコーディングベクトルインジケータのビットの１つの代わりに、データシンボルに電力オフセットが適用されているかどうかを示す単一のビットがある。この特徴は、送信電力が２つのＵＥ間で共有されているか否かを示すために必要である。ＬＴＥの将来のバージョンはこれを、より多数のＵＥ間の電力共有の場合に拡張してもよい。
フォーマット２：ＤＣＩフォーマット２は、閉ループＭＩＭＯ動作（伝送モード４）のためのＰＤＳＣＨのためのリソース割当ての送信のために使用される。
フォーマット２Ａ：ＤＣＩフォーマット２Ａは、開ループＭＩＭＯ動作のためのＰＤＳＣＨのためのリソース割当ての送信のために使用される。送信される情報は、ｅＮｏｄｅＢが２つの送信アンテナポートを有すれば、プリコーディング情報がなく、４つのアンテナポートに対して、２ビットを使用して送信ランク（伝送モード３）を示すこと以外は、フォーマット２でと同じである。
フォーマット２Ｂ：Ｒｅｌｅａｓｅ９で導入され、デュアルレイヤビームフォーミング（伝送モード８）のためのＰＤＳＣＨのためのリソース割当ての送信のために使用される。
フォーマット２Ｃ：Ｒｅｌｅａｓｅ１０で導入され、８つのレイヤ（伝送モード９）までの閉ループシングルユーザまたはマルチユーザＭＩＭＯ動作のためのＰＤＳＣＨのためのリソース割当ての送信のために使用される。
フォーマット２Ｄ：リリース１１で導入され、８レイヤ送信までのために使用され；主にＣＯＭＰ（多地点協調）（伝送モード１０）のために使用される。
フォーマット３および３Ａ：ＤＣＩフォーマット３および３Ａは、それぞれ２ビットまたは１ビット電力調節をもつＰＵＣＣＨおよびＰＵＳＣＨのための電力制御コマンドの送信のために使用される。これらのＤＣＩフォーマットはＵＥのグループのための個々の電力制御コマンドを含む。
フォーマット４：ＤＣＩフォーマット４は、アップリンク伝送モード２での閉ループ空間多重化送信を使用する、ＰＵＳＣＨのスケジューリングのために使用される。
【００６１】
ＰＤＳＣＨ（物理ダウンリンク共有チャネル）のための伝送モード
物理ダウンリンク共有チャネル（ＰＤＳＣＨ：Physical Downlink Shared Channel）はＬＴＥでの主なデータベアリングダウンリンクチャネルである。ＰＤＳＣＨはすべてのユーザデータのための他に、ＰＢＣＨで通知されないブロードキャストシステム情報のため、およびページングメッセージのために使用され−ＬＴＥでは特定の物理レイヤページングチャネルがない。データはＰＤＳＣＨをトランスポートブロック（ＴＢ：Transport Block）として知られる単位で送信され、そのそれぞれはメディアアクセス制御（ＭＡＣ：Medium Access Control）レイヤプロトコルデータユニット（ＰＤＵ：Protocol Data Unit）に対応する。トランスポートブロックは、伝送時間間隔（ＴＴＩ：Transmission Time Interval）当たり一度ＭＡＣレイヤから物理レイヤに渡されてもよく、ここでＴＴＩが１ｍｓであり、サブフレーム継続時間に対応する。
【００６２】
ユーザデータのために利用されるとき、１つまたは、多くとも２つのトランスポートブロックが、各ＵＥのためのＰＤＳＣＨのために選択される伝送モードに応じて、コンポーネントキャリア当たりサブフレーム当たりＵＥ当たり送信されることができる。ＬＴＥでは、通常ダウンリンクのための複数のアンテナがあり、すなわちｅＮｏｄｅＢは複数の送信アンテナを使用してもよく、ＵＥは複数の受信アンテナを使用してもよい。２つのアンテナは多様な設定で使用することができ、その設定はＬＴＥで伝送モードとして区別および意味される。ＵＥは特定の伝送モードをもつｅＮｏｄｅＢによって設定される。例えば、単一の受信器アンテナモードにある単一の送信アンテナは伝送モード１と呼ばれる。
【００６３】
様々な伝送モードは、非特許文献３（現行バージョン１２．３．０）において、８．０項にアップリンク（特に表８−３、８−３Ａ、８−５、８−５Ａ）が、かつ７．１項にダウンリンク（特に表７．１−１、７．１−２、７．１−３、７．１−５、７．１−５Ａ、７．１−６、７．１−６Ａ、７．１−７）が定義され、これらは参照により本明細書に組み込まれる。非特許文献３からのこれらの表は、ＲＮＴＩタイプ（例えばＣ−ＲＮＴＩ、ＳＰＳ  Ｃ−ＲＮＴＩ、ＳＩ−ＲＮＴＩ）と、伝送モードと、ＤＣＩフォーマットとの間の関係を示す。
これらの表は、（Ｅ）ＰＤＣＣＨに対応するＰＤＳＣＨのために使用されるべき特定の伝送方式を特定するいくつかの所定の伝送モードを提供する。
【００６４】
アンライセンスバンドでのＬＴＥ−ＬＡＡ（Licensed-Assisted Access）
２０１４年９月に、３ＧＰＰはアンライセンススペクトルでのＬＴＥ動作に関する新しい検討項目を開始した。ＬＴＥをアンライセンスバンドに拡張するための理由は、ライセンスバンドの限られた量と併せてワイヤレスブロードバンドデータの増え続ける需要である。アンライセンススペクトルはしたがって、ますます携帯事業者によってそれらのサービス提供を強化する補完的なツールと考えられる。Ｗｉ−Ｆｉなどの他の無線アクセス技術（ＲＡＴ：Radio Access Technology）に依存することと比較したアンライセンスバンドでのＬＴＥの利点は、ＬＴＥプラットフォームをアンライセンススペクトルアクセスで補うことが事業者および供給者が無線およびコアネットワークにおけるＬＴＥ／ＥＰＣハードウェアに現存または予定の投資を導入することを可能にするということである。
【００６５】
しかしながら、アンライセンススペクトルアクセスはアンライセンススペクトルでの他の無線アクセス技術（ＲＡＴ）との不可避の共存のためにライセンススペクトルの品質に決して匹敵することができないことは考慮しなければならない。アンライセンスバンドでのＬＴＥ動作はしたがって、少なくとも最初は、アンライセンススペクトルでの独立した動作よりむしろライセンススペクトルでのＬＴＥの補足と考えられるだろう。この前提に基づいて、３ＧＰＰは、少なくとも１つのライセンスバンドと関連したアンライセンスバンドでのＬＴＥ動作に対して、用語ＬＡＡ（Licensed-Assisted Access）を確立した。しかしながら、ＬＡＡに依存することのないアンライセンススペクトルでのＬＴＥの将来の独立した動作は排除されるものではない。
【００６６】
３ＧＰＰの現行の意図される一般的なＬＡＡ手法は、すでに特定されたＲｅｌ−１２キャリアアグリゲーション（ＣＡ：Carrier Aggregation）フレームワークを、ＣＡフレームワーク設定がいわゆるプライマリセル（ＰＣｅｌｌ）キャリアおよび１つまたは複数のセカンダリセル（ＳＣｅｌｌ）キャリアを備えて、可能な限り利用することである。ＣＡは一般に、セルの自己スケジューリング（スケジューリング情報およびユーザデータが同じコンポーネントキャリアで送信される）およびセル間のクロスキャリアスケジューリング（ＰＤＣＣＨ／ＥＰＤＣＣＨに関するスケジューリング情報およびＰＤＳＣＨ／ＰＵＳＣＨに関するユーザデータが異なるコンポーネントキャリアで送信される）の両方をサポートする。
【００６７】
極めて基本的なシナリオを、ライセンスＰＣｅｌｌ、ライセンスＳＣｅｌｌ１および様々なアンライセンスＳＣｅｌｌ２、３、４（例示的にスモールセルとして描かれる）によって、図８に例示する。アンライセンスＳＣｅｌｌ２、３、４の送受信ネットワークノードはｅＮＢによって管理される遠隔無線ヘッドであり得るか、またはネットワークに取り付けられるが、しかしｅＮＢによっては管理されないノードであり得る。単純化のため、これらのノードのｅＮＢへのまたはネットワークへの接続は図には明示的に示さない。
【００６８】
現在、３ＧＰＰで想起される基本的な手法は、ＰＣｅｌｌがライセンスバンドで動作されるだろう一方で、１つまたは複数のＳＣｅｌｌがアンライセンスバンドで動作されるだろうということである。この戦略の利益は、ＰＣｅｌｌを制御メッセージならびに、例えば音声およびビデオなど、高サービス品質（ＱｏＳ）需要のユーザデータの信頼できる送信のために使用することができるということである一方で、アンライセンススペクトルでのＰＣｅｌｌは、他のＲＡＴとの不可避の共存のために、シナリオに応じて、ある程度著しいＱｏＳ低下をもたらすことがある。
【００６９】
ＲＡＮ１＃７８ｂｉｓにおいて、最終決定はなされてないが、３ＧＰＰでのＬＡＡ調査が５ＧＨｚのアンライセンスバンドに集中することになることが同意された。最も重大な問題の１つはしたがって、これらのアンライセンスバンドで動作するＷｉ−Ｆｉ（ＩＥＥＥ８０２．１１）システムとの共存である。ＬＴＥとＷｉ−Ｆｉなどの他の技術との間の公平な共存の他に、同じアンライセンスバンドでの異なるＬＴＥ事業者間の公平性をサポートするために、領域および考慮した周波数帯に依存する一定の組の規制規則によって、アンライセンスバンドに対するＬＴＥのチャネルアクセスは守らなければならない。
【００７０】
５ＧＨｚのアンライセンスバンドでの動作の規制要件の包括的な記載は、参照により本明細書に組み込まれる非特許文献５に与えられる。領域およびバンドに応じて、ＬＡＡ手順を設計するときに考慮しなければならない規制要件は、動的周波数選択（ＤＦＳ：Dynamic Frequency Selection）、送信電力制御（ＴＰＣ：Transmission Power Control）、リッスンビフォアトーク（ＬＢＴ：Listen Before Talk）、および制限された最大伝送継続時間での不連続伝送を含む。３ＧＰＰの意図は、異なる領域および５ＧＨｚのバンドのすべての要件をシステム設計のために考慮しなければならないことを基本的に意味する、ＬＡＡのための単一のグローバルなフレームワークを目標とすることである。
【００７１】
レーダーシステムからの干渉を検出し、かつこれらのシステムとの同一チャネル動作を回避するために、一定の領域およびバンドに対してＤＦＳが必要とされる。さらに意図するのは、スペクトルのほぼ一様なローディングを達成することである。ＤＦＳ動作および対応する要件はマスタ−スレーブ原理と関連づけられる。マスタがレーダー干渉を検出するものとするが、しかしながら、マスタと関連づけられる別の装置に依存してレーダー検出を実装することができる。
【００７２】
５ＧＨｚのアンライセンスバンドでの動作は、ほとんどの領域で、ライセンスバンドでの動作と比較してかなり低い送信電力レベルに制限され、小カバレージエリアという結果になる。たとえライセンスおよびアンライセンスキャリアが同一の電力で送信されることになったとしても、通常５ＧＨｚ帯のアンライセンスキャリアは、上昇するパス損失および信号に対するシャドーイング効果のために２ＧＨｚ帯のライセンスセルより小さいカバレージエリアをサポートするものと予期されるだろう。一定の領域およびバンドのさらなる要件は、同じアンライセンスバンドで動作する他の装置にもたらされる干渉の平均レベルを低下させるために、ＴＰＣの使用である。
【００７３】
ＬＢＴに関する欧州規則に従って、装置は、無線チャネルを占有する前に、クリアチャネル評価（ＣＣＡ：Clear Channel Assessment）を行わなければならない。エネルギー検出に基づいてチャネルが空いていると検出した後にのみ、アンライセンスチャネルでの伝送を開始することが許容される。機器はＣＣＡ中に一定の最小限の間チャネルを観察しなければならない。検出エネルギー準位が設定されたＣＣＡ閾値を超える場合、チャネルは占有されていると考えられる。チャネルが空いていると分類されれば、機器は直ちに伝送することが許容される。それによって、同じバンドで動作する他の装置との公平なリソース共有を容易にするために、最大伝送継続時間は制限される。
【００７４】
異なる規制要件を考慮すると、ライセンスバンド動作に制限される現行のＲｅｌ−１２仕様と比較して、アンライセンスバンドでの動作のためのＬＴＥ仕様がいくつかの変更を必要とするだろうことは明らかである。
【００７５】
新しい作業項目であるライセンス支援アクセスに関連して、特に複数の、すなわちアンライセンスおよびライセンスコンポーネントキャリアが、ダウンリンクおよびアップリンク伝送の少なくとも１つに対する移動局と基地局との間の通信のために設定されるシナリオで、移動局がどのように基地局にチャネル状態情報（ＣＳＩ）を報告しているかも最終決定されていない。アンライセンスキャリアの特別な状況を考慮して、信頼でき、かつ効率的なＣＳＩ報告メカニズムが実装されるべきである。
【先行技術文献】
【非特許文献】
【００７６】
【非特許文献１】3GPP TS 36.211、「Evolved Universal Terrestrial Radio Access (E-UTRA); Physical Channels and Modulation (Release 8)」
【非特許文献２】3GPP TS 36.212、「Evolved Universal Terrestrial Radio Access (E-UTRA); Multiplexing and channel coding」
【非特許文献３】3GPP TS 36.213、「Evolved Universal Terrestrial Radio Access (E-UTRA); Physical layer procedures」
【非特許文献４】LTE - The UMTS Long Term Evolution - From Theory to Practice、Edited by Stefanie Sesia、Issam Toufik、Matthew Baker, Second Edition, 2011, John Wiley & Sons, Ltd.
【非特許文献５】R1-144348、「Regulatory Requirements for Unlicensed Spectrum」、Alcatel-Lucent et al.、RAN1#78bis、Sep. 2014
【発明の概要】
【課題を解決するための手段】
【００７７】
１つの非限定的かつ例示的な実施形態が、移動通信局でチャネル状態情報（ＣＳＩ）を報告するための改善された方法、移動通信システムにおける基地局にチャネル状態情報（ＣＳＩ）を報告するための改善されたユーザ機器、および移動通信システムにおいてＣＳＩを報告するための改善された方法を実施するためのコンピュータ可読媒体を提供する。
独立請求項が非限定的かつ例示的な実施形態を提供する。有利な実施形態は従属請求項に従う。
【００７８】
実施形態によれば、複数のダウンリンクコンポーネントキャリアおよび少なくとも１つのアップリンクコンポーネントキャリアが基地局と移動局との間の通信に設定される移動通信システムにおいて移動局から基地局にチャネル状態情報（ＣＳＩ）を報告する方法が提案される。この点で、移動局は、複数のダウンリンクコンポーネントキャリアの少なくとも１つのダウンリンクコンポーネントキャリアに対するチャネル状態情報の報告をトリガするトリガメッセージを基地局から受信し、トリガメッセージがサブフレームｎＴｒｉｇｇｅｒで受信される、ステップを行う。次いで、移動局は、ｎＴｒｉｇｇｅｒより後のサブフレームｎＲｅｐｏｒｔで、複数のダウンリンクコンポーネントキャリアの少なくとも１つのダウンリンクコンポーネントキャリア上に存在する参照信号（ＲＳ）に基づいて複数のダウンリンクコンポーネントキャリアの少なくとも１つのダウンリンクコンポーネントキャリアに対するトリガされたチャネル状態情報を基地局に報告するステップを行う。受信したトリガメッセージは、チャネル状態情報が報告される際に基づく参照信号（ＲＳ）が複数のダウンリンクコンポーネントキャリアの少なくとも１つのダウンリンクコンポーネントキャリアの上のサブフレームｎＲＳに存在することを示し、ここでｎＴｒｉｇｇｅｒ≦ｎＲＳ＜ｎＲｅｐｏｒｔである。
【００７９】
別の実施形態によれば、複数のダウンリンクコンポーネントキャリアおよび少なくとも１つのアップリンクコンポーネントキャリアが基地局と移動局との間の通信に設定される移動通信システムにおける基地局にチャネル状態情報（ＣＳＩ）を報告するための移動局が提案される。移動局は、複数のダウンリンクコンポーネントキャリアの少なくとも１つのダウンリンクコンポーネントキャリアに対するチャネル状態情報の報告をトリガするトリガメッセージを基地局から受信し、トリガメッセージがサブフレームｎＴｒｉｇｇｅｒで受信される、受信部を備える。さらに、移動局は、ｎＴｒｉｇｇｅｒより後のサブフレームｎＲｅｐｏｒｔで、複数のダウンリンクコンポーネントキャリアの少なくとも１つのダウンリンクコンポーネントキャリア上に存在する参照信号（ＲＳ）に基づいて複数のダウンリンクコンポーネントキャリアの少なくとも１つのダウンリンクコンポーネントキャリアに対するトリガされたチャネル状態情報を基地局に報告する送信部を備える。受信したトリガメッセージは、チャネル状態情報が報告される際に基づく参照信号（ＲＳ）が複数のダウンリンクコンポーネントキャリアの少なくとも１つのダウンリンクコンポーネントキャリアの上のサブフレームｎＲＳに存在することを示し、ここでｎＴｒｉｇｇｅｒ≦ｎＲＳ＜ｎＲｅｐｏｒｔ。
【００８０】
さらなる実施形態によれば、移動局によって実行されたとき、移動局に、複数のダウンリンクコンポーネントキャリアおよび少なくとも１つのアップリンクコンポーネントキャリアが基地局と移動局との間の通信に設定される移動通信システムにおける基地局にチャネル状態情報（ＣＳＩ）を報告させる命令を記憶するコンピュータ可読媒体である。この点で、移動体は、複数のダウンリンクコンポーネントキャリアの少なくとも１つのダウンリンクコンポーネントキャリアに対するチャネル状態情報の報告をトリガするトリガメッセージを基地局から受信し、トリガメッセージがサブフレームｎＴｒｉｇｇｅｒで受信される。次いで、移動局は、ｎＴｒｉｇｇｅｒより後のサブフレームｎＲｅｐｏｒｔで、複数のダウンリンクコンポーネントキャリアの少なくとも１つのダウンリンクコンポーネントキャリア上に存在する参照信号（ＲＳ）に基づいて複数のダウンリンクコンポーネントキャリアの少なくとも１つのダウンリンクコンポーネントキャリアに対するトリガされたチャネル状態情報を基地局に報告している。受信したトリガメッセージは、チャネル状態情報が報告される際に基づく参照信号（ＲＳ）が複数のダウンリンクコンポーネントキャリアの少なくとも１つのダウンリンクコンポーネントキャリアの上のサブフレームｎＲＳに存在することを示し、ここでｎＴｒｉｇｇｅｒ≦ｎＲＳ＜ｎＲｅｐｏｒｔである。
【図面の簡単な説明】
【００８１】
【図１】３ＧＰＰ  ＬＴＥシステムの例示的なアーキテクチャの図である。
【図２】３ＧＰＰ  ＬＴＥの全体のＥ−ＵＴＲＡＮアーキテクチャの例示的な概要の図である。
【図３】３ＧＰＰ  ＬＴＥ（Ｒｅｌｅａｓｅ８／９）のために定義されるようなダウンリンクコンポーネントキャリア上の例示的なサブフレーム境界の図である。
【図４】３ＧＰＰ  ＬＴＥ（Ｒｅｌｅａｓｅ８／９）のために定義されるようなダウンリンクスロットの例示的なダウンリンクリソースグリッドの図である。
【図５】キャリアアグリゲーションがダウンリンクに対してアクティブ化されている３ＧＰＰ  ＬＴＥ−Ａ（Ｒｅｌｅａｓｅ１０）レイヤ２構造の図である。
【図６】キャリアアグリゲーションがアップリンクに対してアクティブ化されている３ＧＰＰ  ＬＴＥ−Ａ（Ｒｅｌｅａｓｅ１０）レイヤ２構造の図である。
【図７】ＰＲＢへのリソース信号のマッピングを例証し、ＬＴＥ−Ａのダウンリンクでそれぞれ、セル固有ＲＳ−ＣＲＳがＰｘとして示され、復調ＲＳ−ＤＭ−ＲＳがＤｘとして示され、かつチャネル状態情報ＲＳ−ＣＳＩ−ＲＳがＲＳとして示されるのを表す図である。
【図８】様々なライセンスおよびアンライセンスセルを伴う、例示的なライセンス支援アクセスシナリオの図である。
【図９】一実施形態に係る改善されたチャネル状態情報報告メカニズムのシーケンス図である。
【図１０】実施形態の実装に係る改善されたチャネル状態情報報告メカニズムを利用する無線通信の図である。
【図１１】別の実施形態に係る改善されたチャネル状態情報報告メカニズムと関連した８つのＣＳＩ−ＲＳポートと使用するためのＰＲＢへのＣＲＳおよびＣＳＩ−ＲＳのマッピングの第１の変形の図である。
【図１２】さらなる実施形態に係る改善されたチャネル状態情報報告メカニズムと関連した２つのＣＳＩ−ＲＳポートと使用するためのＰＲＢへのＣＲＳおよびＣＳＩ−ＲＳのマッピングの第２の変形の図である。
【図１３】ＰＲＢへのＣＲＳおよびＣＳＩ−ＲＳのマッピングの第３の変形であり、なお別の実施形態に係る２つのＣＳＩ−ＲＳポートのための図である。
【図１４】ＰＲＢへのＣＲＳおよびＣＳＩ−ＲＳのマッピングの第３の変形であり、なお別の実施形態に係る２つのＣＳＩ−ＲＳポートのための図である。
【図１５】ＰＲＢへのＣＲＳおよびＣＳＩ−ＲＳのマッピングの第３の変形であり、なお別の実施形態に係る４つのＣＳＩ−ＲＳポートのための図である。
【図１６】ＰＲＢへのＣＲＳおよびＣＳＩ−ＲＳのマッピングの第３の変形であり、なお別の実施形態に係る４つのＣＳＩ−ＲＳポートのための図である。
【図１７】ＰＲＢへのＣＲＳおよびＣＳＩ−ＲＳのマッピングの第３の変形であり、なお別の実施形態に係る８つのＣＳＩ−ＲＳポートのための図である。
【図１８】なおさらなる実施形態に係る改善されたチャネル状態情報報告メカニズムと関連した８つのＣＳＩ−ＲＳポートと使用するためのＰＲＢへのＣＲＳおよびＣＳＩ−ＲＳのマッピングの第４の変形の図である。
【図１９】別の実施形態に係る改善されたチャネル状態情報報告メカニズムと関連した８つのＣＳＩ−ＲＳポートと使用するための集合１でのＰＲＢおよび集合２での別のＰＲＢへのＣＲＳおよびＣＳＩ−ＲＳのマッピングの第５の変形の図である。
【発明を実施するための形態】
【００８２】
実施形態は、例えば上記技術背景項に記載したように、３ＧＰＰ  ＬＴＥ−Ａ（Ｒｅｌｅａｓｅ１０／１１／１２）通信システムなどの移動通信システムに有利に使用されることができるが、しかし実施形態はこの特定の例示的な通信ネットワークでのその使用に限定されないことに留意するべきである。
【００８３】
移動局または移動ノードまたはユーザ端末またはユーザ機器は、通信ネットワーク内の物理エンティティである。１つのノードがいくつかの機能エンティティを有してもよい。機能エンティティは、所定の機能の集合をノードの他の機能エンティティまたはネットワークに実装および／または提供するソフトウェアまたはハードウェアモジュールを指す。
【００８４】
ノードは、ノードが通信するために介することができる通信機構または媒体にノードを取り付ける１つまたは複数のインタフェースを有してもよい。同様に、ネットワークエンティティは、機能エンティティが他の機能エンティティまたは対応ノードと通信するために介してもよい通信機構または媒体に機能エンティティを取り付ける論理インタフェースを有してもよい。
【００８５】
用語「無線リソース」は、本明細書で使用する場合、時間−周波数リソースなどの物理無線リソースを指すとして広く理解しなければならない。
用語「アンライセンスキャリア」および反対に「ライセンスキャリア」は、新しいＬＴＥ作業項目であるライセンス支援アクセス（ＬＡＡ：Licensed-Assisted Access）と関連して理解するべきである。対応して、「ライセンスキャリア」は、通常所定の地理的領域に対する無線周波数使用に関する権限を有する規制機関によって、キャリアの占用のライセンスが事業者に与えられている状況のための用語である。「アンライセンスキャリア」は、当座はＬＴＥのライセンスが与えられておらず、かつ一定の規制を遵守する任意の使用に対して特に開放されているか、またはそうでなければ非排他的に共有されている周波数を包含するキャリアに対して使用する用語であろう。背景項に記載したように、例えば信頼性、電力レベルおよびＱｏＳに関しては、ライセンスキャリアとアンライセンスキャリアとの間にいくつかの差がある。
【００８６】
用語「上位レイヤシグナリング」は、本明細書で使用する場合、ＭＡＣレイヤ（例えばＭＡＣ  ＣＥ）、ＲＲＣレイヤおよびさらなるその上のレイヤを含む、ＰＨＹレイヤより上のレイヤ（ＯＳＩモデルによる）、ならびにそれらの対応する信号およびメッセージを広く指すと理解しなければならない。
【００８７】
用語「広帯域」は狭義では、例えばコンポーネントキャリアのシステム帯域幅に渡るとして理解することができる。それにもかかわらず、用語「広帯域」は、本明細書で使用する場合、システム帯域幅がその全体が包含される、すなわちシステム帯域幅全体を構成する連続したサブバンドの集合の設定を指すのみとは解釈しないものとし、むしろ用語「広帯域」は、隣接するおよび／または分散した物理リソース（サブバンド、リソースブロックまたはサブキャリアなど）の集合を表すとしても理解するものとする。
【００８８】
背景項で説明したように、アンライセンスキャリアに関して、移動局によるチャネル状態情報（ＣＳＩ）報告がどのように実装されるか、すなわち複数のダウンリンクおよび少なくとも１つのアップリンク（コンポーネント）キャリアが基地局と移動局との間の通信のために設定され、ここで少なくとも１つのコンポーネントキャリアがダウンリンク伝送のために利用可能である移動通信システムにおいて、報告がどのように行われるかは最終決定されていない。たとえ時間領域二重化方式でアップリンクおよびダウンリンクのために単一周波数キャリアが使用される（但し同時にではない）としても、記載の単純化のため、この場合はアップリンクのために１つのコンポーネントキャリアを有し、かつダウンリンクのために１つのコンポーネントキャリアを有するとしても理解するべきであることに留意するべきである。
【００８９】
詳細には、背景項で、ＬＡＡ手順を設計するときに考慮しなければならない規制要件を考慮すると、チャネル状態情報（ＣＳＩ）報告メカニズムの本実装は不十分であることが立証された。アンライセンスバンドでの動作に関して、特に現行のＣＳＩ報告実装に変更が必要である。
【００９０】
アンライセンスキャリアをダウンリンク（コンポーネント）キャリアとして作動させるとき、連続する非干渉参照信号ＲＳ、すなわちセル固有参照信号（ＣＲＳ）および／またはチャネル状態情報参照信号（ＣＳＩ−ＲＳ）の存在はもはや保証されることができない。アンライセンスキャリアアクセスは欧州では、例えば多くとも１０ｍｓの連続使用に制限される。
【００９１】
さらに、アンライセンスキャリアは様々な事業者および／または、例えばＷＩＦＩを含む無線アクセス技術間で共有されると思われる。しかしながら、ＷＩＦＩノードはアンライセンスキャリアを全体として、アクティブな伝送のためには２０ＭＨｚ完全に（または複数の２０ＭＨｚのキャリアさえも）占有するものであるので、アンライセンスキャリアでのＷＩＦＩノードとの共存は困難である。
【００９２】
アンライセンスキャリアアクセスは一般にバースト伝送、すなわちアンライセンスキャリアが基地局と移動局との間のバーストダウンリンク伝送のために短期間の間占有されるシナリオを対象としている。しかしながら、この場合にさえ、チャネル状態情報の報告はチャネルへの効率的な適応のために重要である。
【００９３】
ＣＳＩ報告メカニズムは、ＣＳＩ報告が基づく参照信号の存在に依存する。参照信号は、受信器に知られており、かつコヒーレント復調および測定のためのチャネル推定を容易にするために伝送信号に所定の位置で挿入される信号である。
【００９４】
ＬＴＥダウンリンクでは、セルにおけるすべてのＵＥに利用可能であるセル固有ＲＳが提供され、ＵＥ固有ＲＳが、チャネル状態情報報告のためでなく、データ復調のためにチャネルを推定する目的で特定のＵＥに対するデータに埋め込まれてもよい。ＬＴＥ  Ｒｅｌｅａｓｅ１０では、基地局をプリコーディング動作で支援する８つまでの送信アンテナポートに対するチャネル状態フィードバック、ならびに信号強度およびノイズ＋干渉強度を測定するための潜在的に異なるリソースを得ることを主な目的として、チャネル状態情報参照信号（ＣＳＩ−ＲＳ）の送信のサポートが導入された。ＣＳＩ−ＲＳの設定はＲＲＣシグナリングによって確立される。
【００９５】
目下、ＣＳＩ報告は周期的の他に非周期的ＣＳＩ報告方式の設定を許容する。ＣＳＩ報告は、ある（すなわちダウンリンク）コンポーネントキャリアに対するＲＲＣメッセージによって設定される。その設定は、ＣＳＩ報告が遂行されるために基づく参照信号をコンポーネントキャリアが含むことを前提とする。この点で、ＣＳＩ報告は理論的にはライセンスおよびアンライセンスキャリアに対して設定されることができる。
【００９６】
周期的ＣＳＩ報告に関しては、ＲＲＣによる設定が、周期的ＣＳＩ報告送信を決定および開始するのに十分である。非周期的ＣＳＩ報告は、例えばＣＳＩ報告の送信が要求されることを「ＣＳＩ要求フィールド」で特定するＤＣＩフォーマット０メッセージを用いて、ＰＨＹレイヤでトリガされる必要がある。言い換えると、ＣＳＩ報告が要求されることを示すメッセージが、移動局で非周期的ＣＳＩ報告の送信をトリガすることができる。
【００９７】
この点で、周期的および非周期的ＣＳＩ報告間の直接比較で、非周期的ＣＳＩ報告は、アンライセンスキャリアと関連した活用によりよく適しているようである。その上、非周期的ＣＳＩ報告の送信は、それによって規制要件が充足されることを保証することができる基地局によってトリガされることができる。
それにもかかわらず、アンライセンスキャリアに対して設定されると、非周期的ＣＳＩ報告方式でさえ、すなわち以下の理由で不利点を有する。
【００９８】
−  非周期的ＣＳＩ報告は、アンライセンスキャリアでの周期的ＣＳＩ−ＲＳ送信に等しく依存する。ＣＳＩ−ＲＳの設定は目下、ダウンリンクコンポーネントキャリア上のリソースエレメントへの同じ再出現マッピングを前提とし、設定はＲＲＣメッセージによって排他的に容易にされる。
【００９９】
−  非周期的ＣＳＩ報告は目下、広帯域および周波数選択フィードバックを併用する。しかしながら、周波数選択フィードバックは、例えばアンライセンスキャリアに発生される不正確のために、共有無線リソースには概念的に不適切であり、不必要なシグナリングオーバーヘッドに帰着するのみである。
【０１００】
−  非周期的ＣＳＩ報告は、周期的ＣＳＩ−ＲＳの送信とその後の報告事例との間で相当な期間が経過することがあるＬＴＥ−Ｕバーストシナリオの場合に特に、チャネル状態をもはや反映しない以前のＣＲＳまたはＣＳＩ−ＲＳに基づくことがあり、例えばフェージングまたは移動影響によるチャネル状態の変動による不正確に至る。
【０１０１】
以下の例示的な実施形態が、ダウンリンク通信のために少なくとも部分的に使用されるアンライセンスキャリア（但しライセンスキャリアに等しく適用可能である）に対して特に、説明した問題を緩和し、かつ信頼でき、かつ効率的なＣＳＩ報告メカニズムを提供すると、発明者らによって考えられる。
【０１０２】
以下では、いくつかの例示的な実施形態を詳細に説明することになる。これらのいくつかは、様々な実施形態に関連して以下で説明するような特定の主要な特徴を伴って、３ＧＰＰ規格によって与えられ、かつ本背景項で部分的に説明したような仕様で実装されると思われる。
【０１０３】
実施形態は、例えば上記技術背景項に記載したように、３ＧＰＰ  ＬＴＥ−Ａ（Ｒｅｌｅａｓｅ１０／１１／１２）通信システムなどの移動通信システムに有利に使用されることができるが、しかし実施形態はこの特定の例示的な通信ネットワークでのその使用に限定されないことに留意するべきである。
【０１０４】
説明は、本開示の範囲を限定するとしてではなく、本開示をよりよく理解するための実施形態の単なる例として理解するべきである。当業者は、請求項に述べるような本開示の一般的な原理が異なるシナリオに、かつ本明細書に明記しない方途で適用されることができることを認識しているべきである。対応して、様々な実施形態の説明目的で前提とする以下のシナリオは、本発明をそのように限定するものではない。
【０１０５】
以下では、一組の実施形態を説明することになる。根本原理の例証を単純化するために、いくつかの前提がなされるが、しかしながらこれらの前提は、請求項によって広く定義されるような本出願の範囲を限定すると解釈するべきではないことに留意するべきである。
【０１０６】
図９に例示する第１の実施形態によれば、改善されたチャネル状態情報（ＣＳＩ）報告メカニズムが、移動局によって基地局にＣＳＩを報告するために提供される。この第１の実施形態の以下の記載の大部分で、ＣＳＩ報告がアンライセンスキャリアに対して行われることを前提とする。しかしながら、改善されたＣＳＩ報告メカニズムは、ライセンスキャリアのＣＳＩを報告するために等しく適用可能である。
【０１０７】
「キャリアに対するＣＳＩ報告」を「キャリア上のＣＳＩ報告」から区別することが基本的に重要であり、前者が報告されるチャネル状態の対象となるキャリアを意味する一方で、後者はチャネル状態情報（すなわちフィードバックメッセージ）が送信されるキャリアを意味する。したがって、前者がダウンリンクキャリア（またはキャリアがダウンリンクのために使用可能である期間）を指す一方で、後者はアップリンクキャリア（またはキャリアがアップリンクのために使用可能である期間）を指す。
【０１０８】
改善されたＣＳＩ報告メカニズムは好ましくは、複数のダウンリンクおよび少なくとも１つのアップリンクコンポーネントキャリアが基地局と移動局との間に設定される移動通信システムで実施されるが、但し改善されたＣＳＩ報告メカニズムは、１つのダウンリンクおよび１つのアップリンクキャリアのみが設定される場合にも実施されることができる。ＬＴＥ  Ｒｅｌｅａｓｅ１０の用語法を参照して、コンポーネントキャリアはサービングセルと等しく称されてもよい。
【０１０９】
そのような移動通信システムでは、移動局は、基地局からチャネル状態情報（ＣＳＩ）の報告をトリガするトリガメッセージを受信する（ステップＳ０１−図９）。このトリガメッセージによって、設定されたダウンリンクコンポーネントキャリアの１つまたは複数に対してＣＳＩ報告がトリガされる。以下では、移動局がインデックスｎＴｒｉｇｇｅｒのサブフレームでトリガメッセージを受信することを前提とするものとする。
【０１１０】
特に、ＣＳＩ報告がトリガされる１つまたは複数のダウンリンクコンポーネントキャリアが、必ずしもトリガメッセージが受信されるのと同じダウンリンクコンポーネントキャリアであるわけではない。それよりも、１つの例示的なシナリオでは、トリガメッセージがライセンスキャリアに対応するダウンリンクコンポーネントキャリアで受信されてもよく、ＣＳＩ報告はアンライセンスキャリアに対応する１つまたは複数のダウンリンクコンポーネントキャリアに対してトリガされてもよい。
【０１１１】
例示的な実装では、トリガメッセージはダウンリンク制御情報（ＤＣＩ）フォーマットの形態であり、ここでＣＳＩ要求フィールドが移動局によってＣＳＩが報告されるべきであることを示す。例えば、ＣＳＩ要求フィールドはＤＣＩフォーマット０におよびＤＣＩフォーマット４に特定される。この点で、トリガされたチャネル状態情報（ＣＳＩ）は移動局によって非周期的に、すなわち非周期的ＣＳＩ報告として報告される。非周期的ＣＳＩ報告フォーマットはＬＴＥ  Ｒｅｌｅａｓｅ１０にＰＵＳＣＨ  ＣＳＩ報告モードとして定義される。
【０１１２】
受信したトリガメッセージに応答して、移動局は、このダウンリンクコンポーネントキャリア上に存在する参照信号に基づいて、１つまたは複数のダウンリンクコンポーネントキャリアに対してＣＳＩ報告を決定する（ステップＳ０２−図９）。言い換えると、トリガメッセージは、ＣＳＩ報告が確立されるために基づく１つまたは複数のダウンリンクコンポーネントキャリアを参照する（または示す）。
【０１１３】
ＣＳＩ報告は、ダウンリンクコンポーネントキャリアの少なくとも１つのダウンリンクコンポーネントキャリアの上に存在する示された参照信号ＲＳに基づく。言い換えると、移動局は、それが設定される示された参照信号を評価し、それに基づいて基地局にトリガされたＣＳＩを報告する。この目的で使用されるＲＳは好ましくはＣＲＳまたはＣＳＩ−ＲＳである。
【０１１４】
別の例示的な実装では、ＣＳＩ報告のために、移動局は、ＣＳＩが報告されるべき対象となる複数のダウンリンクコンポーネントキャリアの少なくとも１つのダウンリンクコンポーネントキャリアの上のサブバンドＳの集合での連続または分散した物理リソースブロックＰＲＢの参照信号を評価する。サブバンドＳの集合は移動局が予め設定されるシステムパラメータである。
【０１１５】
たとえＬＴＥ仕様が用語「サブバンド」を複数の物理リソースブロックとして使用するとしても、ここでの使用法はそのような定義に制限されないと解釈するべきである。むしろ、本明細書に記載するように、サブバンドは個々の物理リソースブロック、または１つまたは複数のサブキャリアなどの物理リソースブロックの一部であることさえできる。
【０１１６】
この点で、集合Ｓがセルのリソースブロックのいくつかを指しさえすればよいので、実施形態と関連して使用する用語広帯域（または集合Ｓ）を「広帯域」（または「集合Ｓ」）自体のみより広く解釈することに注意を払うことが必要である。例えば、「広帯域」は、排他的にシステム帯域幅全体でなく、むしろ周波数領域でさらには非隣接であってもよい、集合Ｓに含まれる複数のリソースブロックを意味すると解釈するものとする。
【０１１７】
通常、サブバンドＳの集合は、それが１つまたは複数のコンポーネントキャリアの（例えば全）ダウンリンクシステム帯域幅に渡るように設定される。この点で、この例示的な実装では、ＣＳＩは、１つまたは複数のコンポーネントキャリアの（例えば全）ダウンリンクシステム帯域幅に渡るサブバンドＳの集合に対する広帯域ＣＳＩ報告として報告される。
【０１１８】
いずれにせよ、この例示的な実装で広帯域ＣＳＩが報告される対象となる、設定されたサブバンドＳの集合は、広帯域ＣＳＩ報告に加えて、または代替で設定されてもよい周波数選択ＣＳＩ報告と異なる。その上、特定のサブバンドに対するＣＳＩの選択報告は、１つまたは複数のコンポーネントキャリアの（例えば全）ダウンリンクシステム帯域幅に対する広帯域ＣＳＩを報告する手法と矛盾する。
【０１１９】
さらに、トリガメッセージの受取りに応答して、移動局は、１つまたは複数のダウンリンクコンポーネントキャリアに対するトリガされたチャネル状態情報（ＣＳＩ）報告を報告する（ステップＳ０３−図９）。以下では、移動局がｎＴｒｉｇｇｅｒより後のインデックスｎＲｅｐｏｒｔのサブフレームでＣＳＩ報告を送信することを前提とするものとする。
【０１２０】
例示的な実装にさらに、ＤＣＩフォーマットのトリガメッセージはアップリンクリソース割当てを通知する。したがって、ＣＳＩ報告が送信されるものとするアップリンクリソースは、トリガメッセージで通知されるＬ１／Ｌ２制御信号によって決定される。より具体的な例では、トリガメッセージはＤＣＩフォーマット０またはＤＣＩフォーマット４である。
【０１２１】
トリガメッセージに決定されるアップリンクリソースのために、アップリンクリソースで報告されるＣＳＩは、ＣＳＩ報告より最近である参照信号に基づかなくてもよい。言い換えると、参照信号は、ＣＳＩ報告が送信されるべきであるサブフレームｎＲｅｐｏｒｔ前に受信されたにちがいない。したがって、サブフレームｎＲｅｐｏｒｔは、トリガされたＣＳＩ報告のための基準として役立つＲＳが送信される、サブフレームに対する上位／最新の限度として理解してもよい。
【０１２２】
上記のものと組み合わされることができる別の例示的な実装では、ＣＳＩ報告は、少なくとも１つのアップリンクコンポーネントキャリア上の物理アップリンク共有チャネル（ＰＵＳＣＨ）で報告される。特に、予め設定されるＣＳＩ報告モードがＣＳＩ報告を基地局に伝達するために使用される。
【０１２３】
すでに前記したように、ＣＳＩ報告が基づく参照信号は、移動局がＣＳＩを報告する対象となる１つまたは複数のダウンリンクコンポーネントキャリアで送信される。詳細には、参照信号が存在する１つまたは複数のダウンリンクコンポーネントキャリアは、トリガメッセージが送受信されるダウンリンクコンポーネントキャリアと異なってもよい。
【０１２４】
有利には、トリガメッセージは、参照信号（ＲＳ）が存在するインデックスｎＲＳのサブフレームを示す。参照信号は、ＣＳＩが報告される際に基づく１つまたは複数のダウンリンクコンポーネントキャリアに存在する。この点で、トリガメッセージは、ＣＳＩが報告されるためにどの参照信号に基づくかに関して未決ではない。インデックスｎＲＳの示されたサブフレームは時には、ＣＳＩ報告のためのリソースを参照する「参照リソース」とも名付けられる。
【０１２５】
より詳細な実装では、移動局は、ＣＳＩ報告をトリガするための受信したトリガメッセージを、それが、ＣＳＩ報告がトリガされる（すなわち要求される）対象となる１つまたは複数のダウンリンクコンポーネントキャリア上のサブフレームｎＲＳに参照信号（ＲＳ）が存在する単一の機会を示すように解釈する。言い換えると、移動局は、受信したトリガメッセージを１回限りのＣＳＩ報告のためにのみ活用する。
【０１２６】
例示的に、移動局は、ＣＳＩ報告をトリガするための受信したトリガメッセージを、それが、参照信号ＲＳの単一の機会がｎＴｒｉｇｇｅｒでのトリガメッセージに関して所定のまたは信号で送られるサブフレーム番号ｌ１だけオフセットされるのを示すように解釈する。この点で、受信したトリガメッセージは、参照信号の単一の機会が、ＣＳＩ報告がトリガされる対象となる１つまたは複数のダウンリンクコンポーネントキャリア上のインデックス：ｎＲＳ＝ｎＴｒｉｇｇｅｒ＋ｌ１のサブフレームに存在することを示す。
【０１２７】
代替的に、移動局は例示的に、ＣＳＩ報告をトリガするための受信したトリガメッセージを、それが、ｎＴｒｉｇｇｅｒでのトリガメッセージに関して所定のまたは信号で送られるサブフレーム番号ｌ１だけオフセットされ、かつさらなる所定のまたは信号で送られるサブフレーム番号ｌ２で離間される、参照信号ＲＳの複数の機会を示すように解釈する。
【０１２８】
この点で、受信したトリガメッセージは、参照信号の複数の機会が、ＣＳＩ報告がトリガされる対象となる１つまたは複数のダウンリンクコンポーネントキャリア上のインデックス：ｎＲＳ＝ｎＴｒｉｇｇｅｒ＋ｌ１、ｎＴｒｉｇｇｅｒ＋ｌ１＋ｌ２、ｎＴｒｉｇｇｅｒ＋ｌ１＋２＊ｌ２、…、のサブフレームに存在することを示す。言い換えると、移動局は、受信したトリガメッセージを、各々示されたサブフレームｎＲＳにおける複数の参照信号のそれぞれに対する複数のＣＳＩ報告のために活用する。
【０１２９】
詳細には、インデックスｎＲＳのサブフレームの表示は、アンライセンスキャリアのＣＳＩ報告のために有利である。ＣＳＩ報告が基づくべき１つまたは複数の特定のサブフレームｎＲＳの表示に鑑みて、基地局は、ＣＳＩ報告のために移動局によって評価されなければならないサブフレームの数を削減することができ、かつ同時に、関連するサブフレームの、すなわちインデックスｎＲＳのサブフレームの参照信号のみがＣＳＩ報告のために評価されることを保証することができる。
【０１３０】
アンライセンスキャリアの共有性への最善の適応のために、報告をトリガするＤＣＩメッセージにｎＲＳを示すことが有利である。しかしながら、これは望ましくないオーバーヘッドを必要とすることがあるので、別の解決策は、好ましくは他のＣＳＩ報告またはＣＳＩ−ＲＳパラメータを設定する同じメッセージ内で、ＲＲＣメッセージなどの上位レイヤシグナリングを用いてｎＲＳを示すことである。
【０１３１】
それにもかかわらず、トリガメッセージ（またはまさに述べたように、上位レイヤ設定）が、必ずしも参照信号ＲＳが存在するサブフレームを直接示すためのフィールドを含むわけではないと強調するものとする。その代わりに、トリガメッセージは、ｎＲＳとｎＴｒｉｇｇｅｒとの間のまたはｎＲＳとｎＲｅｐｏｒｔとの間の所定のオフセットに基づいて、すなわちインデックスｎＲＳまたはｎＴｒｉｇｇｅｒのサブフレームに対して、サブフレームを間接的に参照してもよい。
【０１３２】
例示的な実装によれば、所定のＣＳＩ報告モードは、１つまたは複数のダウンリンクコンポーネントキャリアに対するＣＳＩ報告が、トリガメッセージと同じサブフレームに存在するが、しかし必ずしもトリガメッセージの同じダウンリンクコンポーネントキャリア上にあるわけではない参照信号に基づくことを予見してもよい。
【０１３３】
いずれにせよ、受信したトリガメッセージは、ＣＳＩ報告のための参照信号ＲＳがインデックスｎＲＳのサブフレームにあることを示し、ここでｎＴｒｉｇｇｅｒ≦ｎＲＳ＜ｎＲｅｐｏｒｔ。それによって、参照信号のためのバッファリングの量が減少するだけでなく、ＣＳＩが直近のサブフレームからの参照信号ＲＳのみを基礎として報告されることも保証されることができる。
【０１３４】
これは再掲されるＣＳＩに対するフェージング効果の影響を小さく保ち、その結果測定時および報告時のチャネル状態間の不正確が大いに回避されることができ、さらに集合Ｓ内のエレメント（例えばサブバンド）ごとのＣＱＩ値の代わりに集合Ｓに対して単一のＣＱＩ値のみが報告される場合にはなおさらである。言い換えると、示されたサブフレームインデックスｎＲＳに対する制限の結果として、ＣＳＩ報告がｎＴｒｉｇｇｅｒ前のインデックスｎＲＳのサブフレームに存在する参照信号に基づき、それ故古くなり、かつチャネル状態を不正確に反映するのみとなることは可能でない（すなわちもはや可能でなくなる）。
【０１３５】
ＬＴＥでの実装
ここで、上記実施形態のより詳細な実装を図１０と関連して論ずるものとする。図示するように、「ＤＬセル１」および「ＤＬセル２」と名付けられる２つのダウンリンクコンポーネントキャリアおよび「ＵＬセル１」と名付けられる１つのアップリンクコンポーネントキャリアが移動局と基地局との間の通信のために設定される移動通信システムに対して、改善されたＣＳＩ報告メカニズムが例示される。
【０１３６】
この詳細な実装は、少なくとも「ＤＬセル２」のために、ＣＳＩ参照信号の送信のための２ＣＳＩ−ＲＳポート設定を活用する。詳細には、移動局は、少なくとも「ＤＬセル２」のために、背景項に導入したようなＣＳＩ  ＲＳ設定０に従ってリソースエレメントへのＣＳＩ−ＲＳマッピングが設定され、すなわちＣＳＩ報告が実施されるために基づくＣＳＩ参照信号として（ｋ’，ｌ’）を（１１，４）と示す。
【０１３７】
さらに、詳細な実装は、ゼロに等しいｎＲＳ−ｎＴｒｉｇｇｅｒオフセットを規定するＣＳＩ報告モードの活用を前提とする。言い換えると、ＣＳＩ報告の目的で、移動局は、ＣＳＩ要求（すなわちトリガメッセージ）が受信されたサブフレームと同じサブフレームのＣＳＩ参照信号を参照するように設定される。
【０１３８】
詳細な実装では、移動局は、サブフレームｎＴｒｉｇｇｅｒでの「ＤＬセル１」のＰＤＣＣＨで、非周期的ＣＳＩ報告がトリガされることを（ＣＳＩ要求フィールドの長さおよび対応する上位レイヤ設定に応じて、「１」、「０１」、「１０」または「１１」の値によって；非特許文献３のバージョン１２．３．０の７．２．１節を参照のこと）示す「ＣＳＩ要求フィールド」を含むトリガメッセージとしてＤＣＩフォーマット０を受信する。同時に、トリガメッセージは、「ＤＬセル２」に対してＣＳＩが報告されるべきであることを示す。さらに、ＤＣＩフォーマット０のトリガメッセージは、「ＵＬセル１」での（一般にｎＴｒｉｇｇｅｒ＋ｋ、ここでｋ≧４である）サブフレームｎＲｅｐｏｒｔに対するアップリンクリソース割当てを示す。
【０１３９】
設定を適用して同じサブフレームでのＣＳＩ参照信号の存在を参照し、すなわちｎＲＳ＝ｎＴｒｉｇｇｅｒを前提とし、移動局は、ＣＳＩ報告を測定／決定するために、トリガメッセージと同じサブフレーム内で、すなわち同じサブフレームｎＴｒｉｇｇｅｒ内で、「ＤＬセル２」のＣＳＩ  ＲＳ設定０に従ってＣＳＩ参照信号を参照する。「ＤＬセル２」上のサブフレームｎＲＳでのこのＣＳＩ参照信号を基礎として、移動局はトリガされた非周期的ＣＳＩ報告を決定する。その後、移動局は、ＤＣＩフォーマット０トリガメッセージのアップリンクリソース割当てに示されるアップリンクリソース上のサブフレームｎＲｅｐｏｒｔ（＝ｎＴｒｉｇｇｅｒ＋ｋ）でＣＳＩ報告を送信する。その上、移動局は、受信したＤＣＩフォーマット０トリガメッセージを通じて示されるサブフレームｎに存在するＣＳＩ参照信号を基礎として非周期的ＣＳＩを報告している。
【０１４０】
非周期的ＣＳＩ報告モード
ここで、非特許文献３のバージョン１２．３．０の７．２．１節に開示されるＰＵＳＣＨを使用するＣＳＩ報告のためのモードと異なる新しい非周期的ＣＳＩ報告モードとして理解するものとする非周期的ＣＳＩ報告の具体的な実装を参照する。このＣＳＩ報告モードはアンライセンスキャリアに対して好ましい。しかしながら、この非周期的ＣＳＩ報告モードはライセンスキャリアに対して等しく適用可能であり、それ故この点で限定されないものとすることを理解するものとする。
【０１４１】
この非周期的ＣＳＩ報告モードは広帯域ＣＳＩの報告を前提とする。言い換えると、非周期的ＣＳＩ報告が行われるために基づく参照信号ＲＳは、非周期的ＣＳＩ報告がトリガされる対象となる１つまたは複数のダウンリンクコンポーネントキャリアのダウンリンクシステム帯域幅の部分集合であるか、またはそれに渡るサブバンドの集合Ｓに存在する。集合Ｓが各ダウンリンクコンポーネントキャリアに固有であり得ることに留意するべきである。
【０１４２】
より詳細には、非周期的ＣＳＩ報告は、複数のダウンリンクコンポーネントキャリアの少なくとも１つのダウンリンクシステム帯域幅の部分集合であるか、またはそれに渡るサブバンドの集合Ｓに対する１つまたは２つのチャネル品質インジケータ（ＣＱＩ）値の形態で実施される。サブバンドの集合Ｓに対して１つまたは２つのＣＱＩ値が報告されるかは、移動局のために設定されるランクインジケータ（ＲＩ）に依存する。
【０１４３】
ＲＳが存在するリソースの第１のサブバンドの集合Ｓ１が、ＣＱＩ値が報告される対象となるリソースの第２の集合Ｓ２と異なることも可能である。例えば、ダウンリンクコンポーネントキャリアのダウンリンクシステム帯域幅の第１の部分集合でのみＲＳを送信することが好ましいだろうが、その一方で測定されるチャネル状態がダウンリンクコンポーネントキャリアのダウンリンク帯域幅全体に適用可能であること、および送信が上記ダウンリンクコンポーネントキャリアのダウンリンク帯域幅全体に発生するだろうことを前提として、ＣＱＩ値は決定される。
【０１４４】
これは、アンサンブルまたはその平均を表す限定数のサンプルを得ることと同様である。一般に、上記第１および第２のサブバンドの集合は独立して設定可能であり、ここで好ましくは送信が前提とされるリソースの第２の集合Ｓ２は、ＲＳが送／受信されるリソースの第１の集合Ｓ１の上位集合であるか、またはそれと等しい。
【０１４５】
移動局がランクインジケータ（ＲＩ）フィードバックを報告するように設定されなければ、または報告されるべきランクインジケータが１に等しければ（ＲＩ＝１）、単一のチャネル品質インジケータ（ＣＱＩ）値（コードワードに対応する）が報告される。さらに、報告されるべきランクインジケータが１より大きければ（ＲＩ＞１）、２つのチャネル品質インジケータ値（異なるコードワードに対応する）が報告される。
【０１４６】
この点で、チャネル状態情報（ＣＳＩ）報告モードは以下の形態で報告される：
−  第１のサブバンドの集合に単一のプリコーディング行列を使用するダウンリンク伝送を、および参照信号が第２のサブバンドの集合に存在することを前提として計算されるコードワード当たりの広帯域チャネル品質インジケータ（ＣＱＩ）値、および、
−  選択されるプリコーディング行列インジケータ（ＰＭＩ）、または選択された単一のプリコーディング行列に対応する第１および第２のプリコーディング行列インジケータ。
【０１４７】
単一のプリコーディング行列は、サブバンドの集合Ｓでのダウンリンク伝送を前提とするコードブック部分集合から選択され、報告されるべきプリコーディング行列インジケータ（ＰＭＩ）、および報告されるべきチャネル品質インジケータ（ＣＱＩ）値は、報告されたランクインジケータ（ＲＩ）を条件にして計算されるか、またはＲＩ＝１を条件にして計算される。
【０１４８】
言い換えると、アンライセンスキャリアのための非周期的ＣＳＩ報告に関して、新しい非周期的報告モードが定義され、以下を含む。
単一のプリコーディング行列が、サブバンドの集合Ｓでの伝送を前提とするコードブック部分集合から選択される。ＵＥは、すべてのサブバンドでの単一のプリコーディング行列の使用およびサブバンドの集合Ｓでの伝送を前提として計算されるコードワード当たりの広帯域ＣＱＩ値を報告するものとする。ＵＥは、伝送モード９および１０のために設定される８つのＣＳＩ−ＲＳポートの場合、または伝送モード８、９および１０のために設定されるａｌｔｅｒｎａｔｉｖｅＣｏｄｅＢｏｏｋＥｎａｂｌｅｄＦｏｒ４ＴＸ−ｒ１２＝ＴＲＵＥの場合を除いて、選択された単一のプリコーディング行列インジケータを報告するものとするが、上記の場合には、選択された単一のプリコーディング行列に対応して第１および第２のプリコーディング行列インジケータが報告される。伝送モード４、８、９および１０の場合、報告されるＰＭＩおよびＣＱＩ値は、報告されたＲＩを条件にして計算される。他の伝送モードの場合、それらはランク１を条件にして報告される。
【０１４９】
サブフレームｎＲＳへのＣＲＳおよびＣＳＩ−ＲＳのマッピング
ここで、参照信号ＲＳが存在するサブフレームの具体的な実装を参照する。参照信号はセル固有参照信号（ＣＲＳ）およびチャネル状態情報参照信号（ＣＳＩ−ＲＳ）の少なくとも１つと理解するものとし、ＣＳＲに関しては非特許文献１のバージョン１２．３．０の６．１０．１節に、ＣＳＩ−ＲＳに関しては６．１０．５節に定義される。
【０１５０】
セル固有参照信号（ＣＲＳ）に関して、基地局はセルにいわゆるＣＲＳポートの数を設定し、これは−他の目的に加えて−ＣＲＳがサブフレームで伝送されるリソースエレメントの数および位置を決定する。リソースエレメント位置はさらに物理セルＩＤの関数である。
【０１５１】
さらに、チャネル状態情報参照信号（ＣＳＩ−ＲＳ）に関して、移動局は１つまたは複数のＣＳＩ参照信号の集合が設定される。ＣＳＩ−ＲＳ伝送のマッピングはサブフレームごとに予め設定される。詳細には、ＣＳＩ−ＲＳはダウンリンク伝送モード１０のために使用される。
【０１５２】
より詳細には、移動局は目下複数のＣＳＩ参照信号の集合が、すなわち移動局がＣＳＩ−ＲＳ（通常ＮＺＰ−ＣＳＩ−ＲＳとも称される）に対して非ゼロの伝送電力を前提とするものとする３つまでの設定、および移動局が非特許文献１の６．１０．５．２節に定義されるようなゼロ伝送電力（通常ＺＰ−ＣＳＩ−ＲＳと称される）を前提とするものとするゼロ以上の設定が設定されてもよい。
【０１５３】
１つの例示的な実装では、ＣＲＳまたはＣＳＩ−ＲＳ伝送は、同じダウンリンクサブフレーム内の潜在的なＰＤＳＣＨリソースエレメントにパンクチャされる。この実装は、それらのリソースエレメントＲＥのみが他の目的（すなわちＲＳ、同期化信号、ＰＢＣＨおよび制御シグナリング）で予約されていないＰＤＳＣＨ伝送のために活用されることができる一般的な手法と矛盾する。それ故、ＰＤＳＣＨのパンクチャリングは、ＲＥがＰＤＳＣＨのために予約されるはずであるが、その代わりにＣＲＳまたはＣＳＩ−ＲＳを通知することを移動局が前提とするだろうという点で、この一般的な手法と矛盾するだろう。
【０１５４】
言い換えると、物理ダウンリンク共有チャネル（ＰＤＳＣＨ）が、ＣＲＳまたはＣＳＩ−ＲＳが存在する同じサブフレームｎＲＳを活用する場合、移動局はパンクチャリングされたＰＤＳＣＨ伝送を前提とする。しかしながら、この実装は、ＣＲＳまたはＣＳＩ−ＲＳ存在を基礎としてＣＳＩ報告をトリガするためのトリガメッセージが受信されたかどうかにかかわりなくＰＤＳＣＨが復号されることができるという点で有利である。
【０１５５】
より詳細には、移動局がＣＳＩ報告のためのトリガメッセージを受信すると、ＣＳＩが報告される際に基づくサブフレームに対して参照信号が示される。したがって、移動局は、ＣＲＳまたはＣＳＩ−ＲＳがサブフレームに存在すると示すＣＳＩ報告を移動局が受信したか否かに応じて、対応するＲＥが示されたサブフレームでＣＲＳまたはＣＳＩ−ＲＳを通知しているか否かを推定する。
【０１５６】
この点で、ＣＲＳまたはＣＳＩ−ＲＳが特定のサブフレームに存在することを示すＣＳＩトリガの受取りを移動局が万一誤認、また逃がせば、移動局は、ＲＥが他の目的で予約されておらず、それ故パンクチャリングされたＰＤＳＣＨを含むことを有効に推定することができる。
【０１５７】
たとえＲＥがＰＤＳＣＨの代わりに反対にＣＲＳまたはＣＳＩ−ＲＳを通知しているとしても、移動局は、パンクチャリングのために、割り当てられたＰＤＳＣＨの残りを正しく受信する。パンクチャリングはダウンリンクバッファ破壊を防止し、その結果たとえＣＲＳまたはＣＳＩ−ＲＳシンボルがＰＤＳＣＨの復号に誤って含まれるとしても、ＰＤＳＣＨの順方向誤り訂正によって提供される残存する冗長性は、そのような誤りを補償し、したがってなおＰＤＳＣＨコードワードの復号成功に帰着するのに十分であり得る。
【０１５８】
ＣＲＳおよびＣＳＩ−ＲＳマッピングにさらなって、移動局は、同じまたは異なるＣＲＳまたはＣＳＩ−ＲＳを使用して信号強度Ｓおよび／または干渉プラスノイズ強度Ｉ＋Ｎを測定するように設定されてもよい。より詳細には、ＮＺＰ−ＣＳＩ−ＲＳはＳＩＮＲ内の信号成分の測定によく適しており、ＺＰ−ＣＳＩ−ＲＳはＳＩＮＲ内の干渉＋ノイズ成分の測定によく適している。
【０１５９】
それにもかかわらず、目下ＺＰ−ＣＳＩ−ＲＳは、無線リソース制御ＲＲＣレイヤシグナリング（目下ＮＺＰ−ＣＳＩ−ＲＳもＲＲＣによって設定される）を介するチャネル状態情報−干渉測定ＣＳＩ−ＩＭのために設定される。その代わりに、１つの実装では、改善されたＣＳＩ報告メカニズムは、ＮＺＰおよびＺＰ  ＲＳの少なくとも１つを示すことによって、ＣＳＩが報告されるべき参照信号がＰＨＹレイヤを介するＤＣＩシグナリングを活用していることを示す。
【０１６０】
この点で、さらなる例示的な実装では、非ゼロ電力（ＮＺＰ：Non-Zero-Power）参照信号の位置（すなわちサブフレーム）がＤＣＩシグナリングの形態のＣＳＩトリガメッセージに示されるだけでなく、ゼロ電力（ＺＰ:Zero-Power）参照信号、すなわちＣＲＳおよび／またはＣＳＩ−ＲＳの位置（すなわちサブフレーム）もＤＣＩシグナリングの形態の同じＣＳＩトリガメッセージによって示されることが提案される。上記したように、サブフレームの両表示は、例えばＣＳＩトリガメッセージに対する所定のオフセットに基づいて、直接的または間接的でもよい。
【０１６１】
ＮＺＰ参照信号およびＺＰ参照信号は、必ずしも同じサブフレームになくてはならないわけではない。したがって、別の例示的な実装では、移動局は、移動局がサブフレームｎＮＺＰ−ＣＳＩ−ＲＳ＝ｎＲＳで非ゼロ伝送電力を前提とする非ゼロ電力ＣＳＩ−ＲＳ設定、および移動局がサブフレームｎＺＰ−ＣＳＩ−ＲＳ≠ｎＲＳでゼロ伝送電力を前提とし、好ましくはここでサブフレームｎＺＰ−ＣＳＩ−ＲＳがサブフレームｎＮＺＰ−ＣＳＩ−ＲＳより前であり、ここでｎＴｒｉｇｇｅｒ≦ｎＺＰ−ＣＳＩ−ＲＳ＜ｎＮＺＰ−ＣＳＩ−ＲＳ＜ｎＲｅｐｏｒｔであるゼロ電力ＣＳＩ−ＲＳ設定の少なくとも１つを含む少なくとも１つの参照信号設定が設定される。
【０１６２】
結果的に、ＣＳＩ−ＲＳの各々は上記した実施形態に関して定義される方程式に独立して従う。非ゼロ電力およびゼロ電力参照信号は、ＣＳＩ報告がトリガされる対象となる１つまたは複数のコンポーネントキャリアの同じサブフレームにあるのではなく、１つまたは複数のコンポーネントキャリアの異なるサブフレームで通知されることができる。
この点で、バーストダウンリンク伝送は非ゼロ電力参照信号のみがマッピングされるサブフレームにより多くのＲＥを予約することができ、一方で非ゼロ電力参照信号は先行する、それ故異なる静かなサブフレームにマッピングされる。この点で、規制要件に特定されるような静かな期間が最適化されることができ、より多くのリソースがアクティブ期間の間にデータ伝送で利用可能にされることができる。
【０１６３】
さらなる例示的な実装では、リッスンビフォアトーク（ＬＢＴ）を実装するアンライセンスキャリアのためのダウンリンクコンポーネントキャリア活用は最適化されるものとする。ＣＳＩ報告がそのようなＬＢＴダウンリンクコンポーネントキャリアに対してトリガされる場合、非ゼロ電力およびゼロ電力参照信号が前記したようにトリガメッセージに示される。しかしながら、基地局がどのようにそのようなＬＢＴダウンリンクコンポーネントキャリアへのアクセスを得るかに関しては区別がなされる。
【０１６４】
基地局は、ＬＢＴダウンリンクコンポーネントキャリアの可用性が検出されるとすぐに（例えば、基地局がリッスンして、それが空いていることを検出した）、そのＬＢＴダウンリンクコンポーネントキャリアで「有用な」信号伝送のためのその使用を予約する信号を伝送しなければならないである。それにもかかわらず、複数のダウンリンク、すなわちライセンスおよびアンライセンスキャリアの場合、伝送はキャリア間で一般に整列されなければならない。それ故、キャリア整列の必要性は、基地局がＬＢＴダウンリンクコンポーネントキャリアで「有用な」信号伝送を直ちに開始するのを妨げるはずである。
【０１６５】
この点で、基地局は、ＬＢＴダウンリンクコンポーネントキャリアをその伝送を通じて妨げる競合の前にＬＢＴダウンリンクコンポーネントキャリアを予約するための「予約信号」を伝送するだろう。この例示的な実施形態において、「予約信号」が、移動局によって干渉プラスノイズ測定のために使用されることができるゼロ電力リソースエレメントを含み、かつ移動局によって信号強度測定のために使用されることができる非ゼロ電力リソースエレメントもさらには含んでもよいことが提案される。
【０１６６】
言い換えると、不整列がＬＢＴダウンリンクコンポーネントキャリア上の「予約信号」の一部として「有用な」伝送を妨げるので、基地局はすべての信号伝送を次の無線フレーム境界に延期することを強いられる。それにもかかわらず、基地局は、異なるコンポーネントキャリアを介してＣＳＩ報告をトリガし、チャネル状態測定のためのゼロおよび非ゼロ電力リソースエレメントを備える「予約信号」のサブフレームを示すことができる。
【０１６７】
さらなる例示的な実装によれば、ＣＲＳおよび／またはＣＳＩ−ＲＳの密度は周波数領域で低減される。例えば、ＣＲＳおよび／またはＣＳＩ−ＲＳのマッピングは、１つおきの設定されたＣＲＳおよび／またはＣＳＩ−ＲＳ（例えば偶数／奇数番の参照信号）が非ゼロ電力ＣＲＳおよび／または非ゼロ電力ＣＳＩ−ＲＳの形態で伝送される一方で、その他の設定されたＣＲＳおよび／またはＣＳＩ−ＲＳ（例えば奇数／偶数番の参照信号）がゼロ電力ＣＲＳおよび／またはゼロ電力ＣＳＩ−ＲＳの形態で伝送される。このマッピングはＣＳＩ報告モードの一部として設定されることができるか、またはＤＣＩの形態のＣＩＳトリガメッセージに有益に含まれてもよい。
【０１６８】
別の例として、いくつかサブバンドがゼロ電力ＣＲＳまたはゼロ電力ＣＳＩ−ＲＳを含むことがあり得る一方で、他のサブバンドが非ゼロ電力ＣＲＳまたは非ゼロ電力ＣＳＩ−ＲＳを含むことがあり得る一方で、なお他のサブバンドがＣＲＳまたはＣＳＩ−ＲＳを含むことはあり得ない。これは、ＲＳ伝送のためのリソースおよび電力オーバーヘッドを低く保つために役立ち、データ伝送のための効率を上昇させ、かつ／またはサブフレームで他のリソースのために利用可能な送信電力を上昇させる。
【０１６９】
さらなる例示的な実装によれば、ＣＳＩ参照信号設定は、セル固有参照信号（ＣＲＳ）伝送に対して規定されたリソースエレメントに対応するサブフレームｎＲＳに少なくとも１つのリソースエレメントＲＥを示すゼロ伝送電力を移動局が前提とするゼロ電力ＣＳＩ−ＲＳ設定を含む。
【０１７０】
この例示的な実装は、図１１〜１９に例示するように、ＣＲＳおよびＣＳＩ−ＲＳの有利なマッピングの以下の例に関連してより詳細に論じられる。
【０１７１】
この目的で、ゼロ電力および非ゼロ電力参照信号間では、両方に設定およびマッピングが等しく適用可能であるので、さらなる区別はなされず、同様に実施形態および実装に従ってチャネル状態を推定する目的で、ＣＲＳとＣＳＩ−ＲＳとの間ではさらなる区別はなされない。結果的に、用語「参照信号」（ＲＳ）のみが以下の論孝および対応する図に活用される。
【０１７２】
図７によれば、最新技術はＲＳのための時間／周波数リソース、主にサブフレームの第２のスロットの他に、サブフレームの各スロットのリソースエレメント（ｋ’，ｌ’）＝｛（２，５）、（２，６）、（３，５）、（３，６）、（８，５）、（８，６）、（９，５）、（９，６）｝におけるリソースｌ’＝２をサポートする。Ｐ０／Ｐ１／Ｐ２／Ｐ３は、それぞれ、ポート０／１／２／３に対応するＣＲＳ伝送のためのリソースエレメントを意味する一方で、Ｄ７−８およびＤ９−１０は、それぞれポート７−８および９−１０に対応しているＵＥ固有ＲＳ（またはＤＭ−ＲＳ）伝送のためのリソースエレメントを意味する。適用可能であれば、ポート１１−１２のためのＤＭ−ＲＳがポート７−８のためと同じリソースにマッピングされ、ポート１３−１４のためのＤＭ−ＲＳがポート９−１０のためと同じリソースにマッピングされる。
【０１７３】
図１１に例証するような実装によれば、ＣＳＩを測定するためのＲＳが、サブフレームの第１のスロットのｌ’＝０，１に対応するＣＲＳポート０／１／２／３の候補である１つまたは複数のリソースエレメントにマッピングされる。同じサブフレームにデータ伝送がない場合、これは特に合理的であるが、それがＲＳの最も早い可能な伝送時間を可能にし、したがって信号の受信と対応する必要なＣＳＩ報告との間で処理のための多量の時間が利用可能であり、それによって測定および報告手順の比較的簡単な実装を可能にするためである。
【０１７４】
同じサブフレームのＰＤＳＣＨ伝送が、伝送モード９および１０によってサポートされる「最大８レイヤ伝送方式」などの、データ復調のためのＣＲＳに依存しない伝送方式によって行われる場合にも、それは合理的である。ＲＳがＣＳＩを得るためだけでなく、共有キャリア（アンライセンスキャリアなど）を占有して、他のノードがチャネルにアクセスするのを阻止するためにも役立つ場合には、さらに有益であり、この場合にＲＳは一種の「予約信号」として役立つだろうし、かつ特にアンライセンスキャリアへのバーストアクセスの最初に重要である。
【０１７５】
非特許文献４の２９．４章、図２９．４に見いだされる表記法と同様に、大文字Ａ／Ｂ／Ｃは所与のＲＳ設定を意味する一方で、小文字ｘ／ｙ／ｚ／ｕは対応するアンテナポートを意味する。
【０１７６】
結果的に、図１１は８つのＲＳポートのための可能な設定を示す。４つのＲＳポートのための設定の場合には、対応するラベルＡｚ／Ａｕ／Ｂｚ／Ｂｕ／Ｃｚ／Ｃｕが、それぞれ、Ｄｘ／Ｄｙ／Ｅｘ／Ｅｙ／Ｆｘ／Ｆｙによって置換されてより異なるＲＳ設定を許容するだろう。同様に、２つのＲＳポートのための設定の場合、追加的に対応するラベルＡｙ／Ｂｙ／Ｃｙ／Ｄｙ／Ｅｙ／ＦｙはＧｘ／Ｈｘ／Ｉｘ／Ｊｘ／Ｋｘ／Ｌｘによって置換されるだろう。
【０１７７】
別の実装では、ＲＳをサブフレームの第２のスロットにマッピングすることによって、代替のまたは追加のＲＳ設定がサポートされることができる。２つのＲＳポートの場合のための追加的なＲＳ設定のための対応する例を図１２にし、ここで合計２４個の異なるＲＳ設定がサポートされる。
【０１７８】
異なるマッピングのためのさらなる変形を図１３〜１７に２つ、４つ、８つのＲＳポートの場合として例示的に示す。図は、単一のリソースエレメントが単一のアンテナポートＲＳを通知する、すなわち同じリソースエレメント上の異なるポートをサポートするためにさらなるＣＤＭ多重化は必要でないという場合を示す。この目的で、各ＲＳは単一の数が続く大文字（Ａ／Ｂ／Ｃ／Ｅ）によって表され、ここで同一の文字は同じＲＳ設定に対応し、数は対応するＲＳポートを示す。
【０１７９】
例えば異なる設定の等しいポートを時間隣接するリソースエレメントにマッピングする、または同じＲＳ設定の異なるポートを時間隣接するリソースエレメントにマッピングするなど、詳細な配置の代替例を示す。
【０１８０】
前者は、異なるＲＳポートを組み合わせてチャネル状態推定値を得るときによりよい平均化効果が得られることができる技術利点を有する一方で、後者は、例えばサブフレームおよびＲＢ当たり１つの設定のみがアクティブである場合に備えて、各ＲＳポートにより多くの送信電力を費やすことができる、例えば２ＲＳポートの場合および設定Ａに対して見て取れるように、図１４の場合には第１のスロットのシンボルｌ’＝０で、全送信電力がＡ１シンボルに費やされることができる一方で、図１３によれば送信電力はＡ１とＡ２間で分割する必要がある。
【０１８１】
図１８は別の代替の実装を示し、ここでＣＳＩ測定のためのＲＳがサブフレームの最初および最後に伝送されるだけでなく、さらなるＤＭ−ＲＳがサブフレームの第１のスロットの最初に伝送される。サブフレームの最初にＤＭ−ＲＳを伝送することは、これらの信号がデータ復調のためにチャネルを推定する手段を提供するだけでなく、他のノードがサブフレームの最初でチャネルか空と評価しないようにする予約信号としても役立つという利益を与えることができる。したがって、このＤＭ−ＲＳ伝送方法は、ＣＳＩ推定のためのＲＳ（ＣＳＩ−ＲＳまたはＣＲＳなど）が伝送されないサブフレームにおいてさえ有利であり得る。
【０１８２】
１つの実装では、図１１〜１８に例示的に示した設定は、ダウンリンクコンポーネントキャリアのシステム帯域幅内のリソースブロックごとに適用可能であると理解される。別の実装では、設定は、ダウンリンクコンポーネントキャリアのシステム帯域幅内のリソースブロックの部分集合にのみ適用可能である。
【０１８３】
これは、サブフレームでのＲＳ伝送によって生じる全体のオーバーヘッドを低減させるために特に適用可能である。同時に、この原理を拡張してリソースブロックの第１の集合に第１のＲＳ設定およびリソースブロックの第２の集合に第２のＲＳ設定を許容すると、これはサブフレームでのより同時設定を効果的にサポートするために使用することができる。
【０１８４】
例えば、図１９は、図１８に基づいて８つのＲＳポートをサポートする同じサブフレームの２つのリソースブロックを例示的に示す。しかしながら、このように、第１のＵＥはリソースブロック集合１のＲＳ設定Ａが設定されることができる一方で、第２のＵＥはリソースブロック集合２のＲＳ設定Ｂが設定されることができる。
【０１８５】
たとえ設定ＡおよびＢがＲＳ伝送のためのリソースブロック内のリソースエレメント位置に関して同一であり得るとしても、ＵＥがどのリソースブロックでＲＳを予期するべきかに関するＵＥに対する異なる詳細設定のため、両設定は異なるＵＥのために使用されることができる。
【図１】
2020010364.tif 000004
【図２】
2020010364.tif 000005
【図３】
2020010364.tif 000006
【図４】
2020010364.tif 000007
【図５】
2020010364.tif 000008
【図６】
2020010364.tif 000009
【図７】
2020010364.tif 000010
【図８】
2020010364.tif 000011
【図９】
2020010364.tif 000012
【図１０】
2020010364.tif 000013
【図１１】
2020010364.tif 000014
【図１２】
2020010364.tif 000015
【図１３】
2020010364.tif 000016
【図１４】
2020010364.tif 000017
【図１５】
2020010364.tif 000018
【図１６】
2020010364.tif 000019
【図１７】
2020010364.tif 000020
【図１８】
2020010364.tif 000021
【図１９】
2020010364.tif 000022